(57)【要約】  夫々の番号がｗ＝０、１、２、・・・、Ｗ−１であり、タイムドメインの位置が同一であるＷ個の物理ランダムアクセスチャネルのマッピング方法を提供する。該方法は、利用可能な周波数帯域においてｗが偶数である場合、高周波から低周波に、又は低周波から高周波にマッピングし、利用可能な周波数帯域においてｗが奇数である場合、低周波から高周波に、又は高周波から低周波にマッピングすることを含む。一つの前記物理ランダムアクセスチャネルは、周波数ドメインにおいて６個の連続する資源ブロックを占め、周波数ドメインにおいて隣り合う二つの物理ランダムアクセスチャネルが占める周波数帯域は重ならず、また、各バージョン番号Ｒに対し、すべて同様なマッピングプロセスを行う。本発明によると、同一の基地局のＰＲＡＣＨを処理する時間を均一に分布させることができ、第２種のＰＲＡＣＨのセル間の干渉を最大限低減させることができる。
2011515972.tif 000002
【特許請求の範囲】
【請求項１】
夫々の番号がｗ＝０、１、２、・・・、Ｗ−１であり、タイムドメインの位置が同一であるＷ個の物理ランダムアクセスチャネル、即ちＰＲＡＣＨのマッピング方法であって、
ｗが偶数である場合、利用可能な周波数帯域において高周波から低周波に、又は低周波から高周波にマッピングし、奇数である場合、利用可能な周波数帯域において低周波から高周波に、又は高周波から低周波にマッピングし、且つ、一つの前記物理ランダムアクセスチャネルは周波数ドメインにおいて６個の連続する資源ブロックを占め、周波数ドメインにおいて隣り合う二つの物理ランダムアクセスチャネルが占める周波数帯域は重ならず、各バージョン番号ｒに対し、すべて同様なマッピングプロセスを行い、又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波から低周波に、又は低周波から高周波にマッピングし、後の半分のＰＲＡＣＨは、利用可能な周波数帯域において低周波から高周波に、又は高周波から低周波にマッピングし、且つ、一つの前記物理ランダムアクセスチャネルは、周波数ドメインにおいて６個の連続する資源ブロックを占め、周波数ドメインにおいて隣り合う二つの物理ランダムアクセスチャネルが占める周波数帯域は重ならず、各バージョン番号ｒに対し、すべて同様なマッピングプロセスを行う、又は
ｗが偶数である場合、利用可能な周波数帯域において高周波から低周波に、又は低周波から高周波にマッピングし、奇数である場合、利用可能な周波数帯域において低周波から高周波に、又は高周波から低周波にマッピングし、且つ、一つの前記物理ランダムアクセスチャネルは、周波数ドメインにおいて６個の連続する資源ブロックを占め、周波数ドメインにおいて隣り合う二つの物理ランダムアクセスチャネルが占める周波数帯域は重ならない、又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波から低周波に、又は低周波から高周波にマッピングし、後の半分のＰＲＡＣＨは、利用可能な周波数帯域において低周波から高周波に、又は高周波から低周波にマッピングし、且つ、一つの前記物理ランダムアクセスチャネルは、周波数ドメインにおいて６個の連続する資源ブロックを占め、周波数ドメインにおいて隣り合う二つの物理ランダムアクセスチャネルが占める周波数帯域は重ならないステップを含むことを特徴とするマッピング方法。
【請求項２】
基地局が送信した前記物理ランダムアクセスチャネルの構成種類から前記バージョン番号を直接取得することを特徴とする請求項１に記載のマッピング方法。
【請求項３】
前記物理ランダムアクセスチャネルのフォーマットがプリアンブルフォーマット０〜３である場合、周波数ドメインにおいてマッピングする周波数ドメインでのマッピング式は以下の通りである：
【数１】
2011515972.tif 000039
ここで、ｋ´ＲＡは、ＰＲＡＣＨに利用可能な１個目の低周波の資源ブロックのシリアルナンバーであり、ＮＵＬＲＢは、上り帯域幅に対応する資源ブロックの総数であって、ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックスであり、即ち、同一のセルに属し、バージョン番号がｒであり、且つパラメータ（ｔ０ＲＡ，ｔ１ＲＡ，ｔ２ＲＡ）により確定されるタイムドメインの位置が同一である全ての物理ランダムアクセスチャネルの番号を示し；
ｔ０ＲＡは、物理ランダムアクセスチャネルがどの無線フレームに位置するかを示し、
ｔ１ＲＡは、物理ランダムアクセスチャネルがどの半フレームに位置するかを示し、
ｔ２ＲＡは、物理ランダムアクセスチャネルが半フレームにおけるどのサブフレームに位置するかを示すことを特徴とする請求項１に記載のマッピング方法。
【発明の詳細な説明】
【技術分野】
【０００１】
本発明は、通信分野に関し、特に、物理ランダムアクセスチャネルのマッピング方法（Ｍｅｔｈｏｄ  ｆｏｒ  ｍａｐｐｉｎｇ  ｐｈｙｓｉｃａｌ  ｒａｎｄｏｍ  ａｃｃｅｓｓ  ｃｈａｎｎｅｌｓ）に関する。
【背景技術】
【０００２】
本願では、
【数１】
2011515972.tif 000003
を《Ｘ》と表記する。
本願では、
【数２】
2011515972.tif 000004
を〈Ｘ〉と表記する。
本願では、
【数３】
2011515972.tif 000005
をＸａｂと表記する。
【０００３】
図１は、ＬＴＥシステムの時分割複信（Ｔｉｍｅ  Ｄｉｖｉｓｉｏｎ  Ｄｕｐｌｅｘ、以下ＴＤＤと称する）モードのフレーム構造を示す図である。図１に示すように、このようなフレーム構造において、１０ｍｓ（３０７２００Ｔｓ、１ｍｓ=３０７２０Ｔｓ）の無線フレームは、二つの半フレームに分割され、各半フレームは、長さが５ｍｓ（１５３６００Ｔｓ）で、８個の長さが０．５ｍｓである通常のタイムスロットと、ダウンリンククパイロットタイムスロット（Ｄｏｗｎｌｉｎｋ  Ｐｉｌｏｔ  Ｔｉｍｅ  Ｓｌｏｔ、以下ＤｗＰＴＳと称する）、ガード区間（Ｇｕａｒｄ  Ｐｅｒｉｏｄ、以下ＧＰと称する）、及びアップリンクパイロットタイムスロット（Ｕｐｌｉｎｋ  Ｐｉｌｏｔ  Ｔｉｍｅ  Ｓｌｏｔ、以下ＵｐＰＴＳと称する）の、長さが合計１ｍｓ（３０７２０Ｔｓ）である３個の特殊のタイムスロットと、を含む。サブフレーム１は終始３個の特殊のタイムスロットから構成され、１０ｍｓ内に下りから上りへの切替えポイントが二つある場合、サブフレーム６は３個の特殊のタイムスロットから構成され、その他の場合において、サブフレーム６はＤｗＰＴＳ（ここで、ＤｗＰＴＳの長さは１ｍｓである）のみを含み、他のサブフレームは２個の通常のタイムスロットから構成される。
【０００４】
上述したフレーム構造において、サブフレーム０、サブフレーム５及びＤｗＰＴＳは下り伝送に、サブフレーム２及びＵｐＰＴＳは上り伝送に用いられる。１０ｍｓ内に下りから上りへの切替えポイントが二つある場合、サブフレーム７も上り伝送に用いられる。
【０００５】
ＬＴＥシステムのＴＤＤモードにおいて、物理ランダムアクセスチャネル（Ｐｈｙｓｉｃａｌ  Ｒａｎｄｏｍ  Ａｃｃｅｓｓ  Ｃｈａｎｎｅｌ、以下ＰＲＡＣＨと称する）は、以下のような２種類に分けることができる。
【０００６】
第１種は、通常の上りのサブフレーム（特殊のタイムスロットを含まないサブフレーム）において伝送されるもので、このようなＰＲＡＣＨは、以下のような４種類がある：
（１）Ｐｒｅａｍｂｌｅ  ｆｏｒｍａｔ ０（プリアンブルフォーマット０）：一つの上りのサブフレームを占め、サイクリックプレフィックス（Ｃｙｃｌｉｃ  Ｐｒｅｆｉｘ、以下ＣＰと称する）の長さは３１６８Ｔｓで、Ｐｒｅａｍｂｌｅ（プリアンブル）の長さは２４５７６Ｔｓである；
（２）Ｐｒｅａｍｂｌｅ  ｆｏｒｍａｔ １：二つの上りのサブフレームを占め、ＣＰ（Ｃｙｃｌｉｃ  Ｐｒｅｆｉｘ）の長さは２１０２４Ｔｓで、Ｐｒｅａｍｂｌｅ（プリアンブル）の長さは２４５７６Ｔｓである；
（３）Ｐｒｅａｍｂｌｅ  ｆｏｒｍａｔ ２：二つの上りのサブフレームを占め、ＣＰ（Ｃｙｃｌｉｃ  Ｐｒｅｆｉｘ）の長さは６２４０Ｔｓで、Ｐｒｅａｍｂｌｅ（プリアンブル）の長さは２×２４５７６Ｔｓである；
（４）Ｐｒｅａｍｂｌｅ  ｆｏｒｍａｔ ３：三つの上りのサブフレームを占め、ＣＰ（Ｃｙｃｌｉｃ  Ｐｒｅｆｉｘ）の長さは２１０２４Ｔｓで、Ｐｒｅａｍｂｌｅ（プリアンブル）の長さは２×２４５７６Ｔｓである；
【０００７】
第２種は、ＵｐＰＴＳ内で伝送されるもので、ＰＲＡＣＨの１種類であるＰｒｅａｍｂｌｅ ｆｏｒｍａｔ ４を含み、ＣＰの長さは４４８Ｔｓで、Ｐｒｅａｍｂｌｅ（プリアンブル）の長さは４０９６Ｔｓである；
【０００８】
周波数ドメインにおいて、上述した各種ＰＲＡＣＨは、いずれも６個の資源ブロック（Ｒｅｓｏｕｒｃｅ  Ｂｌｏｃｋ、以下ＲＢと称する）を占め、各ＲＢは、それぞれ帯域幅が１５ｋＨｚであるサブ搬送波を１２個含む。
【０００９】
携帯電話がシステムにアクセスする場合、先ず、下り同期を行った後、携帯電話は放送チャネルを複調してＰＲＡＣＨの構成パラメータを取得し、最後にＰＲＡＣＨによって上り同期を実現し、基地局との接続を構築する。ここで、ＴＤＤモードにおけるＰＲＡＣＨの構成パラメータは、密度（単位時間内において幾つのＰＲＡＣＨが利用可能であるか、例えば、Ｄ=２ＰＲＡＣＨ/１０ｍｓは、１０ｍｓ内において二つのＰＲＡＣＨが利用可能であることを示す）と、プリアンブルフォーマット（Ｐｒｅａｍｂｌｅ ｆｏｒｍａｔ）と、バージョン番号と、を含む。ここで、フォーマットと密度は同じであるがバージョンが異なると、Ｐｒｅａｍｂｌｅ ｆｏｒｍａｔ及び単位時間内におけるＰＲＡＣＨの数は同じであるが、これらのＰＲＡＣＨのタイムドメイン又は周波数ドメインの位置が異なることを意味する。フォーマット及び密度が同一であるＰＲＡＣＨに複数のバージョンを設け、異なるセルに異なるバージョンを利用する目的は、同一の基地局により管理される異なるセルのＰＲＡＣＨを時間的に分散させ、できるだけ同一の基地局により管理される各セルが異なるタイミングでＰＲＡＣＨの処理請求を提出するようにし、時刻によっては、基地局が込み合ったり処理待ちのデータがなくなったりすることを防止するためである。そして、Ｐｒｅａｍｂｌｅ ｆｏｒｍａｔ ４の種類であるＰＲＡＣＨの場合、ＵｐＰＴＳ内においてデータを送信しないため、異なるセルは異なるバージョンを利用し、各セルのＰＲＡＣＨのタイムドメイン又は周波数ドメインの位置は異なり、セル間のＰＲＡＣＨ干渉を低減する効果がある。
【００１０】
上り同期中において、携帯電話はＰＲＡＣＨの構成パラメータによって一定のアルゴリズムに従って本セルで利用可能のＰＲＡＣＨのタイムドメインと周波数ドメインの位置を取得する。既存技術において、合理的なタイムドメインと周波数ドメインの位置のマッピングアルゴリズムを提供していないため、同一の基地局のＰＲＡＣＨを処理する時間を均一に分布することができず、第２種のＰＲＡＣＨのセル間の干渉が大きい問題がある。
【発明の概要】
【発明が解決しようとする課題】
【００１１】
本発明は、上記の既存技術において合理的な周波数ドメイン位置のマッピングアルゴリズムが提出されていないため、同一の基地局のＰＲＡＣＨを処理する時間を均一に分布することができず、第２種のＰＲＡＣＨのセル間の干渉が大きい問題に鑑み提出されたもので、これらの問題における少なくとも一つを解決することのできる物理ランダムアクセスチャネルのマッピング方法を提出することを目的とする。
【課題を解決するための手段】
【００１２】
本発明によると、夫々の番号がｗ＝０、１、２、・・・、Ｗ−１であって、タイムドメインの位置が同一であるＷ個の物理ランダムアクセスチャネルに用いられる物理ランダムアクセスチャネルのマッピング方法を提供する。 
【００１３】
上記のマッピング方法において、ｗが偶数であるものは、利用可能な周波数帯域において高周波（又は低周波）から低周波（又は高周波）にマッピングし、奇数であるものは、利用可能な周波数帯域において低周波（又は高周波）から高周波（又は低周波）にマッピングし、且つ、一つの物理ランダムアクセスチャネルは、周波数ドメインにおいて６個の連続する資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波（または低周波）から低周波（又は高周波）にマッピングし、後の半分のＰＲＡＣＨは利用可能な周波数帯域において低周波（又は高周波）から高周波（又は低周波）にマッピングし、且つ、一つの物理ランダムアクセスチャネルは周波数ドメインにおいて６個の連続する資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。又は
ｗが偶数であるものは、利用可能な周波数帯域において高周波（又は低周波）から低周波（又は高周波）にマッピングし、奇数であるものは、利用可能な周波数帯域において低周波（又は高周波）から高周波（又は低周波）にマッピングし、且つ、一つの物理ランダムアクセスチャネルは周波数ドメインにおいて６個の連続する資源ブロックを占め、周波数ドメインにおいて隣り合う二つの物理ランダムアクセスチャネルが占める周波数帯域は重ならない。又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波（または低周波）から低周波（又は高周波）にマッピングし、後の半分のＰＲＡＣＨは、利用可能な周波数帯域において低周波（又は高周波）から高周波（又は低周波）にマッピングし、且つ、一つの物理ランダムアクセスチャネルは周波数ドメインにおいて６個の連続する資源ブロックを占め、周波数ドメインにおいて隣り合う二つの物理ランダムアクセスチャネルが占める周波数帯域は重ならない。
【００１４】
上記マッピング方法において、バージョン番号ｒは、基地局から送信されるＰＲＡＣＨの構成種類から直接取得する。
【００１５】
物理ランダムアクセスチャネルのフォーマットがプリアンブルフォーマット０〜３である場合、周波数ドメインにおいてマッピングする周波数ドメインでのマッピング式は以下の通りである：
【数４】
2011515972.tif 000006
ここで、ｋ´ＲＡは、ＰＲＡＣＨに利用可能な１個目の低周波の資源ブロックのシリアルナンバーであり、ＮＵＬＲＢは、上り帯域幅に対応する資源ブロックの総数であり、ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックスであり、即ち、同一のセルに属し、バージョン番号がｒであり、且つパラメータ（ｔ０ＲＡ，ｔ１ＲＡ，ｔ２ＲＡ）により確定されるタイムドメインの位置が同一である全ての物理ランダムアクセスチャネルの番号であり、ｔ０ＲＡは、物理ランダムアクセスチャネルがどの無線フレームに位置するかを示し、ｔ１ＲＡは、物理ランダムアクセスチャネルがどの半フレームに位置するかを示し、ｔ２ＲＡは、物理ランダムアクセスチャネルが半フレームにおいてどのサブフレームに位置するかを示す。
【発明の効果】
【００１６】
上記実施例による物理ランダムアクセスチャネルのマッピング方法によると、マッピングする際におけるバージョン番号の要素を考慮したため、同一の基地局のＰＲＡＣＨを処理する時間を均一に分布することができない問題を解決し、同一の基地局のＰＲＡＣＨを処理する時間を均一に分布することができると共に、第２種のＰＲＡＣＨのセル間の干渉を最大限低減することができる。
【図面の簡単な説明】
【００１７】
【図１】ＬＴＥシステムのＴＤＤモードのフレーム構造を示す図である。
【図２】利用可能な周波数資源を示す図である。
【図３】実施例１によるマッピング結果の一例を示す図である。
【図４】実施例１によるマッピング結果の他の一例を示す図である。
【図５】実施例６によるマッピング結果の一例を示す図である。
【図６】実施例６によるマッピング結果の他の一例を示す図である。
【図７】それぞれ利用可能な周波数帯域の両側からマッピングすることを示す図である。
【図８】実施例１１によるマッピング結果の一例を示す図である。
【図９】実施例１１によるマッピング結果の他の一例を示す図である。
【発明を実施するための形態】
【００１８】
図面は、本発明を更に理解するためのものであり、明細書の一部を構成する。また、本発明の実施例と共に本発明を解釈するものであり、本発明を限定するものではない。
【００１９】
機能の説明
本願の実施例による技術思想において、タイムドメインの位置が同じであるＷ個の物理ランダムアクセスチャネルにおいて、各物理ランダムアクセスチャネルの番号がｗ＝０、１、２、・・・、Ｗ−１であると、ｗが偶数である場合、利用可能な周波数帯域において高周波から低周波に、又は低周波から高周波にマッピングし、奇数である場合、利用可能な周波数帯域において低周波から高周波に、又は高周波から低周波にマッピングし、且つ一つの物理ランダムアクセスチャネルは６個の資源ブロック（本願の実施例における６個の資源ブロックは、周波数ドメインにおける連続する６個の資源ブロックを示す）を占め、周波数ドメインにおいて互いに隣り合う二つの物理ランダムアクセスチャネルが占める周波数帯域は重ならず、各バージョン番号ｒに対し、すべて同じマッピングプロセスを行う。
【００２０】
以下、図面を参照しつつ、実施例に合わせ、本発明を詳しく説明する。矛盾が生じることがなければ、本願の実施例及び実施例における特徴を組み合わせることができる。
【００２１】
本発明の実施例による物理ランダムアクセスチャネルのマッピング方法は、タイムドメインの位置が同一であるＷ個の物理ランダムアクセスチャネルに用いられる方法であり、ここで、各物理ランダムアクセスチャネルの番号はｗ＝０、１、２、・・・、Ｗ−１であり、以下のステップを含む。
【００２２】
ｗが偶数である場合、利用可能な周波数帯域において、高周波から低周波に、又は低周波から高周波にマッピングし、奇数である場合、利用可能な周波数帯域において、低周波から高周波に、又は高周波から低周波にマッピングし、且つ、一つの物理ランダムアクセスチャネルは６個の資源ブロックを占め、周波数ドメインにおいて互いに隣り合う二つの物理ランダムアクセスチャネルが占める周波数帯域は重ならず、各バージョン番号ｒに対し、すべて同様なマッピングプロセスを行い、又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波から低周波に、又は低周波から高周波にマッピングし、後の半分のＰＲＡＣＨは、利用可能な周波数帯域において低周波から高周波に、又は高周波から低周波にマッピングし、且つ、一つの物理ランダムアクセスチャネルは６個の資源ブロックを占め、周波数ドメインにおいて隣り合う二つの物理ランダムアクセスチャネルが占める周波数帯域は重ならず、各バージョン番号ｒに対し、すべて同様なマッピングプロセスを行い、又は、ｗが偶数である場合、利用可能な周波数帯域において高周波から低周波に、又は低周波から高周波にマッピングし、奇数である場合、利用可能な周波数帯域において低周波から高周波に、又は高周波から低周波にマッピングし、且つ、一つの物理ランダムアクセスチャネルは６個の資源ブロックを占め、周波数ドメインにおいて互いに隣り合う二つの物理ランダムアクセスチャネルが占める周波数帯域は重ならない、又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波から低周波に、又は低周波から高周波にマッピングし、後の半分のＰＲＡＣＨは利用可能な周波数帯域において低周波から高周波に、又は高周波から低周波にマッピングし、且つ、一つの物理ランダムアクセスチャネルは６個の資源ブロックを占め、周波数ドメインにおいて隣り合う二つの物理ランダムアクセスチャネルが占める周波数帯域は重ならない。
【００２３】
該マッピング方法によると、マッピングする際のバージョン番号の要素を考慮したため、同一の基地局のＰＲＡＣＨを処理する時間を均一に分布できない等の問題が解決され、同一の基地局のＰＲＡＣＨを処理する時間を均一に分布できると共に、第２種のＰＲＡＣＨのセル間の干渉を最大限低減することができる。
【００２４】
本発明をより分かりやすく説明するために、以下のように定義を行うが、本発明を限定するものではない。
【００２５】
ＰＲＡＣＨを、密度がＤ、バージョン数がＲであると定義すると、一つのランダムアクセス周期内においてＲ《Ｄ》個のＰＲＡＣＨに番号付けを行う必要があり、即ち、ＮＲＡｉｎｄ＝０、１、・・・、Ｒ《Ｄ》−１となる。ここで、Ｄは該密度を利用するセルが一つのランダムアクセス周期内において幾つのＰＲＡＣＨが利用可能であるかを示し、例えばＤ = ｎ ＰＲＡＣＨ/１０ｍｓは、各１０ｍｓのランダムアクセス周期内でｎ個のＰＲＡＣＨが利用可能であることを示す（ｎ=０．５であると、各２０ｍｓのランダムアクセス周期内で一つのＰＲＡＣＨが利用可能であることを示す）。あるセルが一つのランダムアクセス周期内で利用可能なＰＲＡＣＨのインデックスがｄ（セル内のＰＲＡＣＨインデックス又は密度のインデックスと称することができる）であり、ｄ＝０、１、・・・、《Ｄ》−１であり、バージョン番号がｒ、ｒ＝０、１、・・・Ｒ−１であるとすると、マッピングアルゴリズム全体は、ＰＲＡＣＨの番号付けと、周波数ドメイン位置のマッピングとの二の部分に分けられる。
【００２６】
ＰＲＡＣＨの番号付け：
方法１
番号付けを行う場合、先ず密度インデックスを逓増させ、次にバージョン番号を逓増させる。
上記の定義によると、ＮＲＡｉｎｄ＝ｒ《Ｄ》＋ｄとなり、ここでＮＲＡｉｎｄ＝０、１、・・・、Ｒ《Ｄ》−１であり、ｄ＝０、１、・・・、《Ｄ》−１であり、ｒ＝０、１、・・・Ｒ−１である。
【００２７】
方法２
番号付けを行う場合、先ずバージョン番号を逓増させ、次に密度インデックスを逓増させる。
上記の定義によると、ＮＲＡｉｎｄ＝ｄＲ＋ｒとなり、ここでＮＲＡｉｎｄ＝０、１、・・・、Ｒ《Ｄ》−１であり、ｄ＝０、１、・・・、《Ｄ》−１であり、ｒ＝０、１、・・・Ｒ−１である。
【００２８】
そして、番号付けを行う際に《ＮＲＡｉｎｄ／ＮＲＡｔ》≦ＮＢＷＲＡを満たさなければならない。ここで、ＮＲＡｔは一つのランダムアクセス周期内においてタイムドメインに収容可能な現フォーマットのＰＲＡＣＨの数であり、ＮＢＷＲＡは利用可能な周波数資源に収容可能なＰＲＡＣＨの数である。
【００２９】
周波数ドメインのマッピング：一つのＰＲＡＣＨがタイムドメインにおいてＬ個の上りサブフレームを占めると、該Ｌ個の上りサブフレームにマッピングされるＰＲＡＣＨを周波数ドメインにマッピングする（Ｐｒｅａｍｂｌｅ ｆｏｒｍａｔ ４の場合、ここでの上りサブフレームはＵｐＰＴＳである）。
【００３０】
方法１
ＰＲＡＣＨを利用可能な周波数資源において低周波から高周波に、又は高周波から低周波にマッピングし、一つのＰＲＡＣＨは６個のＲＢを占め、周波数ドメインにおいて隣り合う二つのＰＲＡＣＨが占める周波数帯域は重ならない。
【００３１】
方法２
ＰＲＡＣＨを利用可能な周波数資源において中間から両側にマッピングし、一つのＰＲＡＣＨは６個のＲＢを占め、周波数ドメインにおいて隣り合う二つのＰＲＡＣＨが占める周波数帯域は重ならない。
【００３２】
通常の上りサブフレームの場合、ＰＲＡＣＨの利用可能な周波数資源とは、現システムにおける利用可能な全ての周波数資源において、PＵＣＣＨの占める周波数資源以外の周波数資源、又は現システムにおける利用可能なすべての周波数資源を示す。ＵｐＰＴＳの場合、ＰＲＡＣＨの利用可能な周波数資源とは、現システムにおける利用可能なすべての周波数資源を示し、図２は、利用可能な周波数資源を示す図である。
【００３３】
方法３
利用可能な周波数資源において、バージョン番号ｒが同一であるＰＲＡＣＨを低周波から高周波に、又は高周波から低周波にマッピングし、一つの物理ランダムアクセスチャネルは６個の資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。
【００３４】
例えば、番号が０、４、６、８であるＰＲＡＣＨにおいて、０、６に対応するバージョン番号ｒが同一であり、４、８に対応するバージョン番号ｒが同一であると、０、６は低周波から高周波にマッピングし、４、８も同様に低周波から高周波にマッピングし、最終的に、０と４の周波数ドメインの位置が同一となり、６と８の周波数ドメインの位置が同一となる。
【００３５】
方法４
利用可能な周波数資源において、バージョン番号ｒが同一であるＰＲＡＣＨは低周波から高周波に、又は高周波から低周波にマッピングし、一つの物理ランダムアクセスチャネルは６個の資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。
【００３６】
方法５
バージョン番号ｒが同一である上記物理ランダムアクセスチャネルを、利用可能な周波数資源において両側から中間にマッピングする。
【００３７】
上記のＬ個のサブフレームにマッピングされた、バージョン番号がｒである物理ランダムアクセスチャネルがＷ個ある場合、ＮＲＡｉｎｄが小さい順に、改めて、ｗ＝０、１、２、・・・、Ｗ−１と番号付けを行うと、そのマッピング方法は以下のようになる。
ｗが偶数の場合は、利用可能な周波数帯域において高周波（又は低周波）から低周波（又は高周波）にマッピングし、奇数である場合、利用可能な周波数帯域において低周波（又は高周波）から高周波（又は低周波）にマッピングし、且つ、一つの前記物理ランダムアクセスチャネルは６個の資源ブロックを占め、周波数ドメインにおいて隣り合う二つの物理ランダムアクセスチャネルが占める周波数帯域は重ならない。各バージョン番号ｒに対し、すべて同様なマッピングプロセスを行い、又は、前の半分（ｗ≦《Ｗ／２》又はｗ＜《Ｗ／２》又はｗ≦〈Ｗ／２〉又はｗ＜〈Ｗ／２〉）のＰＲＡＣＨを利用可能な周波数帯域において高周波（又は低周波）から低周波（又は高周波）にマッピングし、後の半分のＰＲＡＣＨを利用可能な周波数帯域において低周波（又は高周波）から高周波（又は低周波）にマッピングし、且つ、一つの物理ランダムアクセスチャネルは６個の資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。
【００３８】
例えば、ＰＲＡＣＨのフォーマットがＰｒｅａｍｂｌｅ ｆｏｒｍａｔ ０であると、Ｌ =１であり、インデックスＮＲＡｉｎｄ＝０、４、６、８、９、１０であるＰＲＡＣＨは、ある上りサブフレームにマッピングされる。ここで、０、４、６に対応するバージョン番号は同一であり、ｒ=０である。また、８、９、１０に対応するバージョン番号は同一であり、ｒ=１である。ｒ=０、ｗ =０、１、２は、０、４、６に対応し、ｒ= １、ｗ=０、１、２は８、９、１０に対応する。ｗが奇数であるものを利用可能な周波数帯域において低周波から高周波にマッピングし、ｗが偶数であるものを利用可能な周波数帯域において高周波から低周波にマッピングすると、そのマッピングの結果は図７に示す通りである。その中、ＮＲＡｉｎｄが０、８であるＰＲＡＣＨの周波数ドメインの位置は同一であり、ＮＲＡｉｎｄが４、９であるＰＲＡＣＨの周波数ドメインの位置は同一であり、ＮＲＡｉｎｄが６、１０であるＰＲＡＣＨの周波数ドメインの位置は同一である。
【００３９】
方法６
該Ｌ個のサブフレームにマッピングされた物理ランダムアクセスチャネルがＷ個ある場合、ＮＲＡｉｎｄの小さい順に、改めてｗ＝０、１、２、・・・、Ｗ−１と番号付けを行うと、そのマッピング方法は以下の通りである。
【００４０】
ｗが偶数の場合は、利用可能な周波数帯域において高周波（又は低周波）から低周波（又は高周波）にマッピングし、奇数である場合、利用可能な周波数帯域において低周波（又は高周波）から高周波（又は低周波）にマッピングし、且つ、一つの物理ランダムアクセスチャネルは６個の資源ブロックを占め、周波数ドメインにおいて隣り合う二つの物理ランダムアクセスチャネルが占める周波数帯域は重ならない、又は、前の半分（ｗ≦《Ｗ／２》又はｗ＜《Ｗ／２》又はｗ≦〈Ｗ／２〉又はｗ＜〈Ｗ／２〉）のＰＲＡＣＨを利用可能な周波数帯域において高周波（又は低周波）から低周波（又は高周波）にマッピングし、後の半分のＰＲＡＣＨを利用可能な周波数帯域において低周波（又は高周波）から高周波（又は低周波）にマッピングし、且つ、一つの物理ランダムアクセスチャネルは６個の資源ブロックを占め、周波数ドメインにおいて隣り合う二つの物理ランダムアクセスチャネルが占める周波数帯域は重ならない。
【００４１】
密度Ｄは、基地局によりＰＲＡＣＨの制御シグナリングを介し、直接携帯電話に通知する。
【００４２】
バージョン数Ｒは、以下のような三つの方法で取得する：
（一）基地局から携帯電話に送信したＰＲＡＣＨ構成種類に基づき、ＰＲＡＣＨ構成集合におけるＰｒｅａｍｂｌｅ ｆｏｒｍａｔと密度の組合せのバージョン数から確定する；
（二）システムが周波数ドメインにおいて支援するＰＲＡＣＨの数ＮＢＷＲＡと、１０ｍｓ内における切替えポイント数ＮＳＰと、ＰＲＡＣＨの密度Ｄに基づき、式Ｒ＝〈ＮＢＷＲＡ・ＮＳＰ／Ｄ〉に従って、バージョン数を取得する；
（三）バージョン数はＲ＝ｍｉｎ（〈ＮＢＷＲＡ・ＮＳＰ／Ｄ〉，３）であり、即ち、最大値を３に限定する。
【００４３】
バージョン番号ｒは、以下のような二つの方法で取得する：
（一）基地局が携帯電話に送信したＰＲＡＣＨの構成種類に基づき、直接取得する。
（二）セルＩＤに基づき、バージョン番号を算出する、即ちｒ＝ＮｃｅｌｌＩＤｍｏｄＲである。
【００４４】
本願の実施例が提供する方法により、ＰＲＡＣＨの周波数ドメイン位置をマッピングすると、同一の基地局のＰＲＡＣＨを処理する時間を均一に分布させることができると共に、第２種のＰＲＡＣＨのセル間の干渉を最大限低減させることができる。
【００４５】
実施例１
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルの一つのランダムアクセス周期内において利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓ無線フレーム内における下りから上りへの切替えポイントの数をＮｓｐとし、半フレーム内のタイムドメインに収容されたあるフォーマットのＰＲＡＣＨの数をＮＨＦＲＡ（ｉ）とする。
【００４６】
ＰＲＡＣＨの番号付け：番号付けを行う場合、先ず密度インデックスを逓増させ、次に、バージョン番号を逓増させ、即ちＮＲＡｉｎｄ＝ｒ《Ｄ》＋ｄとなり、ここで、ＮＲＡｉｎｄ＝０、１、・・・、Ｒ《Ｄ》−１であり、ｄ＝０，１、・・・、《Ｄ》−１であり、ｒ∈〔０、Ｒ−１〕である。
【００４７】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ周波数ドメインにおいて隣り合う二つのＰＲＡＣＨが占める周波数帯域は重ならない。
【００４８】
上記のマッピング原理は以下の式で表すことができる。
【数５】
2011515972.tif 000007
ここで、
（１）ｔＲＡ０は、ＰＲＡＣＨがどの無線フレームに位置するかを示し、０は各無線フレームいずれにも存在することを示し、１は偶数の無線フレームに、２は奇数の無線フレームに位置することを示す。そして、Ｄ=０．５である場合、ＮＲＡｉｎｄ＝ｒであるため、ｔＲＡ０＝α〔（ｒｍｏｄ２）＋１〕となる；
（２）ｔＲＡ１は、ＰＲＡＣＨがどの半フレームに位置するかを示し、０は１個目の半フレーム、２は２個目の半フレームに位置することを示す；
（３）ｔＲＡ２は、ＰＲＡＣＨがある半フレーム内のどのサブフレームに位置するかを示し、即ち、ＰＲＡＣＨのある半フレーム内での開始位置、つまり何個目の上りサブフレームから開始するかを示す（但し、短いＲＡＣＨにおいては、必要でない）。例えば、ｔＲＡ２＝０は、１個目の上りサブフレームから開始することを示す；
特に説明がなければ、以下に記載のｔＲＡ０、ｔＲＡ１、ｔＲＡ２はここでの解釈を参照すればよい；
（４）ｆＲＡは、周波数ドメインにおけるＰＲＡＣＨの番号であり、番号と周波数ドメインにおける具体的なＰＲＡＣＨの開始ＲＢとのマッピング関係はｋＲＡ＝ｋ´ＲＡ＋ｆＲＡ・６となり、ここで、ｋ´ＲＡは周波数ドメインにおけるＰＲＡＣＨに利用可能な１個目のＲＢの位置である；
（５）Ｐｒｅａｍｂｌｅ ｆｏｒｍａｔ ０〜３の場合、ＬはこのようなフォーマットのＰＲＡＣＨが占める上りサブフレームの数であり、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の半フレーム、ｉ=１であると２個目の半フレームを示す；
（６）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定し、Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの帯域幅において、周波数ドメインに収容可能なＰＲＡＣＨの数を示す；
（７）Ｐｒｅａｍｂｌｅ ｆｏｒｍａｔ ０〜３の場合、ｒは基地局が携帯電話に送信したＰＲＡＣＨの構成種類に基づいて直接取得することができる。Ｐｒｅａｍｂｌｅ ｆｏｒｍａｔ ４の場合、ｒ＝ＮｃｅｌｌＩＤｍｏｄＲである。
【００４９】
上述のマッピングアルゴリズムによると、（ｒ、ｄ)がバージョンがｒであるｄ個目のＰＲＡＣＨを示すと、
（１）Ｒ=３、Ｄ=５であり、ＰＲＡＣＨのフォーマットがＰｒｅａｍｂｌｅ ｆｏｒｍａｔ ０で、Ｄ:Ｕ=１:３であると、ＮＲＡｉｎｄ＝０、１、・・・、１４はそれぞれ(０、０)、(０、１)、(０、２)、(０、３)、(０、４)、(１、０)、(１、１)、(１、２)、(１、３)、(１、４)、(２、０)、(２、１)、(２、２)、(２、３)、(２、４)に対応し、タイムドメインと周波数ドメインの位置のマッピング結果は図３に示す通りである；
（２）Ｒ=３、Ｄ=３であり、ＰＲＡＣＨのフォーマットがＰｒｅａｍｂｌｅ ｆｏｒｍａｔ ０で、Ｄ:Ｕ=３:１であると、ＮＲＡｉｎｄ＝０、１、・・・、８はそれぞれ(０、０)、(０、１)、(０、２)、(１、０)、(１、１)、(１、２)、(２、０)、(１、２)、(２、２)に対応し、タイムドメインと周波数ドメインの位置のマッピング結果は図４に示す通りである。
【００５０】
実施例２
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセス周期内で利用可能なＰＲＡＣＨのインデックスをｄ（セル内のＰＲＡＣＨインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内における下りから上りへの切替えポイントの数をＮＳＰとし、半フレーム内のタイムドメインに収容されたあるフォーマットのＰＲＡＣＨの数をＮＨＦＲＡ（ｉ）とする。
【００５１】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００５２】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００５３】
上述したマッピングの原理は以下の式で表すことができる：
【数６】
2011515972.tif 000008
ここで、
（１）ｆＲＡは、周波数ドメインにおけるＰＲＡＣＨの番号であり、番号と周波数ドメインにおける具体的なＰＲＡＣＨの開始ＲＢとのマッピング関係はｋＲＡ＝ｋ´ＲＡ＋ｆＲＡ・６となり、ここで、ｋ´ＲＡは周波数ドメインにおけるＰＲＡＣＨに利用可能な１個目のＲＢのシリアルナンバーであり、即ち、ｋ´ＲＡは周波数ドメインにおけるＰＲＡＣＨに利用可能な１個目のＲＢの位置である；
（２）Ｐｒｅａｍｂｌｅ ｆｏｒｍａｔ ０〜３の場合、ＬはこのようなフォーマットのＰＲＡＣＨが占める上りサブフレームの数であり、ＮＵＬ，ＨＦｓｕｂ−ｆｒａｍｅ（ｉ）は半フレーム内の上りサブフレームの数を示し、Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数であり、ｉ=０であると１個目の半フレーム、ｉ=１であると２個目の半フレームを示す;
（３）Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（４）バージョン番号ｒは、基地局が携帯電話に送信したＰＲＡＣＨの構成種類から直接取得することができる。
【００５４】
実施例３
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨのインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内においてタイムドメインに収容されたあるフォーマットのＰＲＡＣＨの数をＮＨＦＲＡ（ｉ）とする。
【００５５】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００５６】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００５７】
上述したマッピングの原理は以下の式で表すことができる：
【数７】
2011515972.tif 000009
ここで、
（１）ｆＲＡは、周波数ドメインにおけるＰＲＡＣＨの番号であり、番号と周波数ドメインにおける具体的なＰＲＡＣＨの開始ＲＢとのマッピング関係はｋＲＡ＝ｋ´ＲＡ＋ｆＲＡ・６となり、ここで、ｋ´ＲＡは周波数ドメインにおけるＰＲＡＣＨに利用可能な１個目のＲＢの位置である；
（２）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の、ｉ=１であると２個目の半フレームを示す;
（３）Ｐｒｅａｍｂｌｅ ｆｏｒｍａｔ ０〜３の場合、Ｒは基地局が携帯電話に送信したＰＲＡＣＨの構成種類に基づいて、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの帯域幅において、周波数ドメインに収容可能なＰＲＡＣＨの数を示す；
（４）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲである。
【００５８】
実施例４
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる、ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【００５９】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００６０】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００６１】
上述したマッピングの原理は以下の式で表すことができる：
【数８】
2011515972.tif 000010
ここで、
（１）ｆＲＡは、周波数ドメインにおけるＰＲＡＣＨの番号であり、番号と周波数ドメインにおける具体的なＰＲＡＣＨの開始ＲＢとのマッピング関係はｋＲＡ＝ｋ´ＲＡ＋ｆＲＡ・６となり、ここで、ｋ´ＲＡは周波数ドメインにおけるＰＲＡＣＨに利用可能な１個目のＲＢの位置である；
（２）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数であり、Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の、ｉ=１であると２個目の半フレームを示す；
（３）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（４）バージョン番号ｒは、基地局が携帯電話に送信したＰＲＡＣＨの構成種類から直接取得することができる。
【００６２】
実施例５
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【００６３】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００６４】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない
【００６５】
実施例６
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨのインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内においてタイムドメインに収容されるあるフォーマットのＰＲＡＣＨの数をＮＨＦＲＡ（ｉ）
とする。
【００６６】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００６７】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００６８】
Ｐｒｅａｍｂｌｅ ｆｏｒｍａｔ ０〜３の場合、
利用可能な周波数資源において、バージョン番号ｒが同一であるＰＲＡＣＨsを、番号（ＮＲＡｉｎｄ）の小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号ｒに対し、同様なマッピングプロセスを行う。
【００６９】
上述したマッピング原理は以下の式で表すことができる：
【数９】
2011515972.tif 000011
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係はｋＲＡ＝ｋ´ＲＡ＋ｆｒＬＲＡ（ｔ０ＲＡ，ｔ１ＲＡ，ｔ２ＲＡ）・６となり、ここで、ｋ´ＲＡは周波数ドメインにおけるＰＲＡＣＨに利用可能な１個目のＲＢの位置である；
（３）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の、ｉ=１であると２個目の半フレームを示す；
（５）Ｐｒｅａｍｂｌｅ ｆｏｒｍａｔ ０〜３の場合、Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの帯域幅において、周波数ドメインに収容可能なＰＲＡＣＨの数を示す；
（６）Ｐｒｅａｍｂｌｅ ｆｏｒｍａｔ ０〜３の場合、Ｒは基地局が携帯電話に送信したＰＲＡＣＨの構成種類から直接取得することが可能であり、Ｐｒｅａｍｂｌｅ ｆｏｒｍａｔ ４の場合、ｒ＝ＮｃｅｌｌＩＤｍｏｄＲである。
【００７０】
上述したマッピングアルゴリズムによると、(ｒ，ｄ)がバージョンがｒであるｄ個目のＰＲＡＣＨを示す場合、
（１）Ｒ=３で、Ｄ=５であり、ＰＲＡＣＨのフォーマットがＰｒｅａｍｂｌｅ ｆｏｒｍａｔ ０であり、Ｄ:Ｕ=１:３であると、ＮＲＡｉｎｄ＝０、１、・・・、１４はそれぞれ(０、０)、(０、１)、(０、２)、(０、３)、(０、４)、(１，０)、(１、１)、(１、２)、(１、３)、(１、４)、(２、０)、(２、１)、(２、２)、(２、３)、(２、４)に対応し、そのタイムドメイン、周波数ドメインの位置のマッピング結果は図５に示す通りである。ここで、(０、０)、(１、１)、(２、２)の周波数ドメインの位置は同一であり、(０、２)、(１、３)、(２、４)の周波数ドメインの位置は同一であり、(０、４)、(２、０)の周波数ドメインの位置は同一であり、(０、１)、(１、２)、(２、３)の周波数ドメインの位置は同一であり、(０、３)、(１、４)の周波数ドメインの位置は同一であり、(１、０)、(２、１)の周波数ドメインの位置は同一である；
（２）Ｒ=３で、Ｄ=３であり、ＰＲＡＣＨのフォーマットがＰｒｅａｍｂｌｅ ｆｏｒｍａｔ ０であり、Ｄ:Ｕ=３:１であると、ＮＲＡｉｎｄ＝０、１、・・・、８はそれぞれ(０、０)、(０、１)、(０、２)、(１、０)、(１、１)、(１、２)、(２、０)、(１、２)、(２、２)に対応し、そのタイムドメイン、周波数ドメインの位置のマッピング結果は図６に示す通りである。ここで、(０、０)、(１、１)、(２、０) の周波数ドメインの位置は同一であり、(０、２)、(２、２) の周波数ドメインの位置は同一であり、(０、１)、(１、０)、(２、１) の周波数ドメインの位置は同一である。
【００７１】
実施例７
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセス周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内における下りから上りへの切替えポイントの数をＮＳＰとし、半フレーム内のタイムドメインに収容されるあるフォーマットのＰＲＡＣＨの数をＮＨＦＲＡ（ｉ）とする。
【００７２】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００７３】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００７４】
Ｐｒｅａｍｂｌｅ ｆｏｒｍａｔ ０〜３の場合、
利用可能な周波数資源において、バージョン番号Ｒが同一であるＰＲＡＣＨを、番号（ＮＲＡｉｎｄ）の小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号Ｒに対し、すべて同様なマッピングプロセスを行う。
【００７５】
上述したマッピングの原理は以下の式で表すことができる：
【数１０】
2011515972.tif 000012
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であり、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係はｋＲＡ＝ｋ´ＲＡ＋ｆｒＬＲＡ（ｔ０ＲＡ，ｔ１ＲＡ，ｔ２ＲＡ）・６となり、ここで、ｋ´ＲＡは周波数ドメインにおけるＰＲＡＣＨに利用可能な１個目のＲＢの位置である；
（３）ＮｒＲＡ（ｔ０ＲＡ，ｔ１ＲＡ，ｔ２ＲＡ）は、バージョンインデックスがＲであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の半フレーム、ｉ=１であると２個目の半フレームを示す；
（５）Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（６）バージョン番号ｒは、基地局が携帯電話に送信したＰＲＡＣＨの構成種類から直接取得することができる。
【００７６】
実施例８
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨのインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内においてタイムドメインに収容されるあるフォーマットのＰＲＡＣＨの数をＮＨＦＲＡ（ｉ）とする。
【００７７】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００７８】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００７９】
Ｐｒｅａｍｂｌｅ ｆｏｒｍａｔ ０〜３の場合、
利用可能な周波数資源において、バージョン番号ｒが同一であるＰＲＡＣＨを、番号（ＮＲＡｉｎｄ）の小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号ｒに対し、すべて同様なマッピングプロセスを行う。
【００８０】
上述したマッピング原理は以下の式で表すことができる：
【数１１】
2011515972.tif 000013
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係はｋＲＡ＝ｋ´ＲＡ＋ｆｒＬＲＡ（ｔ０ＲＡ，ｔ１ＲＡ，ｔ２ＲＡ）・６となり、ｋ´ＲＡは周波数ドメインにおけるＰＲＡＣＨに利用可能な１個目のＲＢの位置である；
（３）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の、ｉ=１であると２個目の半フレームを示す；
（５）Ｐｒｅａｍｂｌｅ ｆｏｒｍａｔ ０〜３の場合、Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することが可能であり、Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの帯域幅において、周波数ドメインに収容可能なＰＲＡＣＨの数を示す；
（６）Ｐｒｅａｍｂｌｅ ｆｏｒｍａｔ ０〜３の場合、Ｒは基地局が携帯電話に送信したＰＲＡＣＨの構成種類から直接取得することが可能であり、Ｐｒｅａｍｂｌｅ ｆｏｒｍａｔ ４の場合、ｒ＝ＮｃｅｌｌＩＤｍｏｄＲである。
【００８１】
実施例９
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨのインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内においてタイムドメインに収容されるあるフォーマットのＰＲＡＣＨの数をＮＨＦＲＡ（ｉ）とする。
【００８２】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００８３】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００８４】
Ｐｒｅａｍｂｌｅ ｆｏｒｍａｔ ０〜３の場合、
利用可能な周波数資源において、バージョン番号ｒが同一であるＰＲＡＣＨを、番号（ＮＲＡｉｎｄ）の小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号ｒに対し、すべて同様なマッピングプロセスを行う。
【００８５】
上述したマッピング原理は以下の式で表すことができる：
【数１２】
2011515972.tif 000014
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であり、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係はｋＲＡ＝ｋ´ＲＡ＋ｆｒＬＲＡ（ｔ０ＲＡ，ｔ１ＲＡ，ｔ２ＲＡ）・６であることが可能であり、ｋ´ＲＡは周波数ドメインにおけるＰＲＡＣＨに利用可能な１個目のＲＢの位置である；
（３）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の半フレーム、ｉ=１であると２個目の半フレームを示す；
（５）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（６）バージョン番号ｒは、基地局が携帯電話に送信したＰＲＡＣＨの構成種類から直接取得することができる。
【００８６】
実施例１０
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【００８７】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００８８】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００８９】
実施例１１
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【００９０】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００９１】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００９２】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【００９３】
該Ｌ個のサブフレームにマッピングされた、バージョン番号がＲである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【００９４】
上述したマッピングの原理は以下の式で表すことができる：
【数１３】
2011515972.tif 000015
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、ｆＳＲＡ（ｔ０ＲＡ，ｔ１ＲＡ，ｔ２ＲＡ）＝０，１，．．．，ＮＳＲＡ（ｔ０ＲＡ，ｔ１ＲＡ，ｔ２ＲＡ）−１となり、即ち、タイムドメインの位置が（ｔ０ＲＡ，ｔ１ＲＡ，ｔ２ＲＡ）により確定される全てのＰＲＡＣＨをＮＲＡｉｎｄの小さい順に、改めて番号付けを行った結果である。番号と周波数ドメインにおける具体的なＰＲＡＣＨの開始ＲＢとのマッピング関係はｋＲＡ＝ｋ´ＲＡ＋ｆＳＲＡ・６となり、ｋ´ＲＡはＰＲＡＣＨに利用可能な１個目の低周波のＲＢの位置を示す；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスはｒであり、且つ、タイムドメインの位置が（ｔ０ＲＡ，ｔ１ＲＡ，ｔ２ＲＡ）により確定される全てのＰＲＡＣＨをＮＲＡｉｎｄの順に、改めて番号付けを行った結果である。番号と周波数ドメインにおける具体的なＰＲＡＣＨの開始ＲＢとのマッピング関係は
【数１４】
2011515972.tif 000016
であることが可能であり、ｋ´ＲＡはＰＲＡＣＨに利用可能な１個目の低周波のＲＢの位置を示し、ＮＵＬＲＢは上り資源ブロックの総数を示す；
（３）ＮｒＬＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ０〜３）の数を示し、ＮＳＲＡ（ｔ０ＲＡ，ｔ１ＲＡ，ｔ２ＲＡ）は、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ４）の数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレームにおけるＵｐＰＴＳの数を示し、ｉ=０であると１個目の半フレーム、ｉ=１であると２個目の半フレームを示す；
（５）Ｐｒｅａｍｂｌｅ ｆｏｒｍａｔ ０〜３の場合、Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することが可能であり、Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの周波数帯域において、周波数ドメインに収容可能なＰＲＡＣＨの数を示す。又は、Ｒ＝ｍｉｎ（〈ＮＢＷＲＡ・ＮＳＰ／Ｄ〉，３）であり、又は、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる；
（６）Ｐｒｅａｍｂｌｅ ｆｏｒｍａｔ ０〜３の場合、Ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲにより、又は、基地局が携帯電話に送信したＰＲＡＣＨの構成種類から直接取得する。
【００９５】
上述したマッピングアルゴリズムによると、(ｒ、ｄ)がバージョンがｒであるｄ個目のＰＲＡＣＨを表する場合、
（１）Ｒ=３で、Ｄ=５であり、ＰＲＡＣＨのフォーマットがＰｒｅａｍｂｌｅ ｆｏｒｍａｔ ０で、Ｄ:Ｕ=１:３であると、ＮＲＡｉｎｄ＝０、１、・・・、１４はそれぞれ(０、０)、(０、１)、(０、２)、(０、３)、(０、４)、(１、０)、(１、１)、(１、２)、(１、３)、(１、４)、(２、０)、(２、１)、(２、２)、(２、３)、(２、４)に対応し、そのタイムドメイン、周波数ドメインの位置のマッピング結果は図8に示す通りであり、ここで、(０、０)、(１、１)、(２、２)の周波数ドメインの位置は同一であり、(０、２)、(１、３)、(２、４)の周波数ドメインの位置は同一であり、(０、４)、(２,０)の周波数ドメインの位置は同一であり、(０、１)、(１、２)、(２、３)の周波数ドメインの位置は同一であり、(０、３)、(１、４)の周波数ドメインの位置は同一であり、(１、０)、(２、１)の周波数ドメインの位置は同一である。
（２）Ｒ=３、Ｄ=３であり、ＰＲＡＣＨのフォーマットがＰｒｅａｍｂｌｅ ｆｏｒｍａｔ ０で、Ｄ:Ｕ=３:１であると、ＮＲＡｉｎｄ＝０、１、・・・、８はそれぞれ(０、０)、(０、１)、(０、２)、(１、０)、(１、１)、(１、２)、(２、０)、(１、２)、(２、２)に対応し、そのタイムドメイン、周波数ドメインの位置のマッピング結果は図9に示す通りである。ここで、(０、０)、(１、１)、(２、０)の周波数ドメインの位置は同一であり、(０、２)、(２、２)の周波数ドメインの位置は同一である。
【００９６】
実施例１２
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセス周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕
）とし、１０ｍｓの無線フレーム内における下りから上りへの切替えポイントの数をＮＳＰとし、半フレーム内のタイムドメインに収容されるあるフォーマットのＰＲＡＣＨの数をＮＨＦＲＡ（ｉ）とする。
【００９７】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００９８】
周波数ドメインのマッピング
Ｐｒｅａｍｂｌｅ ｆｏｒｍａｔ ５の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００９９】
Ｐｒｅａｍｂｌｅ ｆｏｒｍａｔ ０〜３の場合、
ＮＲＡｉｎｄの小さい順に、順次、バージョン番号Ｒが同一である物理ランダムアクセスチャネルを利用可能な周波数資源において両側から中間にマッピングする。
【０１００】
該Ｌ個のサブフレームにマッピングされたバージョン番号がＲである物理ランダムアクセスチャネルがＷ個あって、ＮＲＡｉｎｄの小さい順に、ｗ＝０、１、２、・・・、Ｗ−１と改めて番号付けを行うと、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１０１】
上述したマッピングの原理は以下の式で表すことができる：
【数１５】
2011515972.tif 000017
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数１６】
2011515972.tif 000018
であることが可能であり、ｋ´ＲＡはＰＲＡＣＨに利用可能な１個目の低周波のＲＢの位置を示し、ＮＵＬＲＢは上り資源ブロックの総数を示す；
（３）ＮｒＲＡ（ｔ０ＲＡ，ｔ１ＲＡ，ｔ２ＲＡ）は、バージョンインデックスはｒであり、且つ、タイムドメインの位置が（ｔ０ＲＡ，ｔ１ＲＡ，ｔ２ＲＡ）により確定される全てのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ５の場合、Ｌ = １であり、ＮＵＬ，ＨＦｓｕｂ−ｆｒａｍｅ（ｉ）は半フレームにおけるＵｐＰＴＳの数を示し、ｉ=０であると１個目の半フレーム、ｉ=１であると２個目の半フレームを示す；
（５）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（６）バージョン番号ｒは、基地局が携帯電話に送信したＰＲＡＣＨの構成種類から直接取得することができる。
【０１０２】
実施例１３
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１０３】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１０４】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【０１０５】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【０１０６】
該Ｌ個のサブフレームにマッピングされたバージョン番号がＲである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１０７】
上述したマッピングの原理は以下の式で表すことができる：
【数１７】
2011515972.tif 000019
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは周波数ドメインにおけるＰＲＡＣＨに利用可能な１個目のＲＢの位置を示す；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数１８】
2011515972.tif 000020
であることが可能であり、ｋ´ＲＡはＰＲＡＣＨに利用可能な１個目の低周波のＲＢの位置を示し、ＮＵＬＲＢは上り資源ブロックの総数を示す；
（３）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定される全てのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は、半フレーム内の上りサブフレームの数を示す。Ｐｒｅａｍｂｌｅ ｆｏｒｍａｔ ５の場合、Ｌ = １であり、ＮＵＬ，ＨＦｓｕｂ−ｆｒａｍｅ（ｉ）は半フレームにおけるＵｐＰＴＳの数を示し、ｉ=０であると１個目の半フレーム、ｉ=１であると２個目の半フレームを示す；
（５）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの周波数帯域において、周波数ドメインに収容可能なＰＲＡＣＨの数を示す；
（６）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲである。
【０１０８】
実施例１４
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１０９】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１１０】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【０１１１】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【０１１２】
該Ｌ個のサブフレームにマッピングされたバージョン番号がＲである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１１３】
上述したマッピングの原理は以下の式で表すことができる：
【数１９】
2011515972.tif 000021
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であるが、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２０】
2011515972.tif 000022
であり、ｋ´ＲＡは、ＰＲＡＣＨに利用可能な１個目の低周波のＲＢの位置であり、ＮＵＬＲＢは上り資源ブロックの総数を示す；
（３）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（５）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（６）バージョン番号Ｒは、基地局が携帯電話に送信したＰＲＡＣＨの構成種類から直接取得することができる。
【０１１４】
実施例１５
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１１５】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１１６】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【０１１７】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【０１１８】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１１９】
実施例１６
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１２０】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１２１】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１２２】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記の物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１２３】
上述したマッピングの原理は以下の式で表すことができる：
【数２１】
2011515972.tif 000023
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜４の周波数ドメインのマッピングのインデックス（周波数ドメインにおけるＰＲＡＣＨの番号）であるが、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２２】
2011515972.tif 000024
であることが可能であり、ｋ´ＲＡは、ＰＲＡＣＨに利用可能な１個目の低周波のＲＢの位置を示し、ＮＵＬＲＢは、上り資源ブロックの総数を示す；
（２）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（４）Ｐｒｅａｍｂｌｅ ｆｏｒｍａｔ ０〜４の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは、現システムの帯域幅において、周波数ドメインに収容可能なＰＲＡＣＨの数を示す；
（５）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲである。
【０１２４】
実施例１７
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１２５】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１２６】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１２７】
該Ｌ個のサブフレームにマッピングされたバージョン番号がＲである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１２８】
上述したマッピングの原理は以下の式で表すことができる：
【数２３】
2011515972.tif 000025
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２４】
2011515972.tif 000026
であることが可能であり、ｋ´ＲＡは、ＰＲＡＣＨに利用可能な１個目の低周波のＲＢの位置であり、ＮＵＬＲＢは上り資源ブロックの総数を示す；
（２）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（４）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（５）ｒは、基地局が携帯電話に送信したＰＲＡＣＨの構成種類から直接取得することができる。
【０１２９】
実施例１８
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１３０】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１３１】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１３２】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１３３】
上述したマッピングの原理は以下の式で表すことができる：
【数２５】
2011515972.tif 000027
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスはｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２６】
2011515972.tif 000028
であることが可能であり、ｋ´ＲＡは、ＰＲＡＣＨに利用可能な１個目の低周波のＲＢの位置であり、ＮＵＬＲＢは上り資源ブロックの総数を示す；
（２）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（４）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは、現システムの帯域幅において、周波数ドメインに収容可能なＰＲＡＣＨの数を示す；
（５）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲである。
【０１３４】
実施例１９
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されたあるフォーマットのＰＲＡＣＨの数をＮＨＦＲＡ（ｉ）とする。
【０１３５】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１３６】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１３７】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１３８】
上述したマッピングの原理は以下の式で表すことができる：
【数２７】
2011515972.tif 000029
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスがｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２８】
2011515972.tif 000030
であることが可能であり、ｋ´ＲＡは、ＰＲＡＣＨに利用可能な１個目の低周波のＲＢの位置であり、ＮＵＬＲＢは上り資源ブロックの総数を示す；
（２）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の、ｉ=１であると２個目の半フレームを示す；
（４）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（５）バージョン番号Ｒは、基地局が携帯電話に送信したＰＲＡＣＨの構成種類から直接取得することができる。
【０１３９】
実施例２０
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１４０】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１４１】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１４２】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１４３】
実施例２１
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１４４】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１４５】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１４６】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１４７】
上述したマッピングの原理は以下の式で表すことができる：
【数２９】
2011515972.tif 000031
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜４の周波数ドメインのマッピングのインデックス（周波数ドメインにおけるＰＲＡＣＨの番号）であるが、バージョンインデックスがｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数３０】
2011515972.tif 000032
であることが可能であり，ｋ´ＲＡは、ＰＲＡＣＨに利用可能な１個目の低周波のＲＢの位置であり、ＮＵＬＲＢは上り資源ブロックの総数を示す；
（２）ＮｒＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜４の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（４）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒは３に固定され、ＮＢＷＳＲＡは、現システムの帯域幅において、周波数ドメインに収容可能なＰＲＡＣＨの数を示す；
（５）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲにより、又は、基地局が携帯電話に送信したＰＲＡＣＨの構成種類から直接取得することができる。
【０１４８】
実施例２２
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１４９】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕
である。
【０１５０】
周波数ドメインのマッピング
Ｐｒｅａｍｂｌｅ ｆｏｒｍａｔ ４の場合、
あるＵｐＰＴＳにマッピングされた物理ランダムアクセスチャネルがＷ個あって、ＮＲＡｉｎｄの小さい順に、ｗ＝０、１、２、・・・、Ｗ−１と改めて番号付けを行うと、そのマッピング方法は、
ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。
【０１５１】
Ｐｒｅａｍｂｌｅ ｆｏｒｍａｔ ０〜３場合、
ＮＲＡｉｎｄが小さい順に、順次、バージョン番号ｒが同一である上記物理ランダムアクセスチャネルを利用可能な周波数資源において両側から中間にマッピングする。
【０１５２】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記の物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１５３】
上述したマッピングの原理は以下の式で表すことができる：
【数３１】
2011515972.tif 000033
ここで、
（１）ｆＳＲＡは、Ｐｒｅａｍｂｌｅ ｆｏｒｍａｔ ４の周波数ドメインのインデックス（周波数ドメインにおけるＰＲＡＣＨの番号）であり、ｆＳＲＡ（ｔ０ＲＡ，ｔ１ＲＡ，ｔ２ＲＡ）＝０，１，．．．，ＮＳＲＡ（ｔ０ＲＡ，ｔ１ＲＡ，ｔ２ＲＡ）−１となり、即ち、タイムドメインの位置が（ｔ０ＲＡ，ｔ１ＲＡ，ｔ２ＲＡ）により確定される全てのＰＲＡＣＨを、ＮＲＡｉｎｄの小さい順に、改めて番号付けを行った結果である。番号と周波数ドメインにおける具体的なＰＲＡＣＨの開始ＲＢとのマッピング関係は
【数３２】
2011515972.tif 000034
であることが可能であり、ｋ´ＲＡは、ＰＲＡＣＨに利用可能な１個目の低周波のＲＢの位置であり、ＮＵＬＲＢは上り資源ブロックの総数を示す；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのインデックス（周波数ドメインにおけるＰＲＡＣＨの番号）であるが、バージョンインデックスがｒであり、且つ、タイムドメインの位置が（ｔ０ＲＡ，ｔ１ＲＡ，ｔ２ＲＡ）により確定される全てのＰＲＡＣＨを、ＮＲＡｉｎｄの小さい順に、改めて番号付けを行った結果である。番号と周波数ドメインにおける具体的なＰＲＡＣＨの開始ＲＢとのマッピング関係は
【数３３】
2011515972.tif 000035
であることが可能であり、ｋ´ＲＡは、ＰＲＡＣＨに利用可能な１個目の低周波のＲＢの位置であり、ＮＵＬＲＢは上り資源ブロックの総数を示す；
（３）ＮｒＬＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定されるすべてのＰＲＡＣＨ（Ｐｒｅａｍｂｌｅ ｆｏｒｍａｔ ０〜３）の数を示す。ＮＳＲＡ（ｔ０ＲＡ，ｔ１ＲＡ，ｔ２ＲＡ）は、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ４）の数である；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の、ｉ=１であると２個目の半フレームを示す；
（５）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは、現システムの帯域幅において、周波数ドメインに収容可能なＰＲＡＣＨの数を示す。又は、Ｒ＝ｍｉｎ（〈ＮＢＷＲＡ・ＮＳＰ／Ｄ〉，３）であり；又は、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる；
（６）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲにより、又は、基地局が携帯電話に送信したＰＲＡＣＨの構成種類から直接取得することができる。
【０１５４】
実施例２３
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１５５】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１５６】
周波数ドメインのマッピング
Ｐｒｅａｍｂｌｅ ｆｏｒｍａｔ ４の場合、
あるＵｐＰＴＳにマッピングされた物理ランダムアクセスチャネルがＷ個あって、ＮＲＡｉｎｄの小さい順に、ｗ＝０、１、２、・・・、Ｗ−１と改めて番号付けを行うと、そのマッピング方法は、
ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。
【０１５７】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【０１５８】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１５９】
上述したマッピングの原理は以下の式で表すことができる：
【数３４】
2011515972.tif 000036
ここで、
（１）ｆＳＲＡは、Ｐｒｅａｍｂｌｅ ｆｏｒｍａｔ ４の周波数マッピングのインデックス（周波数ドメインにおけるＰＲＡＣＨの番号）であり、ｆＳＲＡ（ｔ０ＲＡ，ｔ１ＲＡ，ｔ２ＲＡ）＝０，１，．．．，ＮＳＲＡ（ｔ０ＲＡ，ｔ１ＲＡ，ｔ２ＲＡ）−１となり、即ち、タイムドメインの位置が（ｔ０ＲＡ，ｔ１ＲＡ，ｔ２ＲＡ）により確定される全てのＰＲＡＣＨを、ＮＲＡｉｎｄの小さい順に、再び番号付けを行った結果である。番号と周波数ドメインにおける具体的なＰＲＡＣＨの開始ＲＢとのマッピング関係は
【数３５】
2011515972.tif 000037
であることが可能であり、ｋ´ＲＡは、ＰＲＡＣＨに利用可能な１個目の低周波のＲＢの位置であり、ＮＵＬＲＢは上り資源ブロックの総数を示す；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョンインデックスがｒであり、且つ、タイムドメインの位置が（ｔ０ＲＡ，ｔ１ＲＡ，ｔ２ＲＡ）により確定される全てのＰＲＡＣＨを、ＮＲＡｉｎｄの小さい順に、改めて番号付けを行った結果である。番号と周波数ドメインにおける具体的なＰＲＡＣＨの開始ＲＢとのマッピング関係は
【数３６】
2011515972.tif 000038
であることが可能であり、ｋ´ＲＡは、ＰＲＡＣＨに利用可能な１個目の低周波のＲＢの位置であり、ＮＵＬＲＢは上り資源ブロックの総数を示す；
（３）ＮｒＬＲＡ（ｔ０ＲＡ，ｔ１ＲＡ，ｔ２ＲＡ）は、バージョンインデックスがｒであり、且つ、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ０〜３）の数を示し、ＮＳＲＡ（ｔ０ＲＡ，ｔ１ＲＡ，ｔ２ＲＡ）は、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ４）の数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の、ｉ=１であると２個目の半フレームを示す；
（５）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは、現システムの帯域幅において、周波数ドメインに収容可能なＰＲＡＣＨの数を示す。又は、Ｒ＝ｍｉｎ（〈ＮＢＷＲＡ・ＮＳＰ／Ｄ〉，３）であり、又は、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定する；
（６）Ｐｒｅａｍｂｌｅ ｆｏｒｍａｔ ０〜３の場合、ｒは基地局が携帯電話に送信したＰＲＡＣＨの構成種類から直接取得することができる。ＲeambＬe ｆｏｒｍａｔ ４の場合、ｒ＝ＮｃｅｌｌＩＤｍｏｄＲにより、又は、基地局が携帯電話に送信したＰＲＡＣＨの構成種類から直接取得することができる。
【０１６０】
利用可能な周波数資源において、バージョン番号ｒが同一であるＰＲＡＣＨを、ＮＲＡｉｎｄの小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号ｒに対し、すべて同様なマッピングプロセスを行う。
【０１６１】
上述した内容から分かるように、本発明の上記実施例による物理ランダムアクセスチャネルのマッピング方法によると、マッピングする際のバージョン番号の要素を考慮したため、同一の基地局のＰＲＡＣＨを処理する時間を均一に分布することができない問題を解決し、同一の基地局がＰＲＡＣＨを処理する時間を均一に分布することができると共に、第２種のＰＲＡＣＨのセル間の干渉を最大限低減させることができる。
【０１６２】
明らかに、当業者なら、上述した本発明の各ブロック又は各ステップをゼネラルコンピューターにより実現でき、これらを個別のコンピューター上に集中する、又は、複数台のコンピューターからなるネットワーク上に分散してもよく、或いは、これらをコンピューターが運行可能なプログラムコードにより実現してもよいことが自明であろう。よって、これらをメモリーに保存し、コンピューターを用いて運行し、或いはこれらをそれぞれ各集積回路のモジュールとして製作し、或いはこれらの中の複数のブロック又はステップから個別の集積回路のモジュールを製作することでも実現できる。よって、本発明は特定のハードウエアとソフトウエアの結合に限定されるものではない。
【０１６３】
以上は、本発明の好適な実施例であり、本発明を限定するものではない。本発明は、様々な変更や変形が可能であることは当業者には容易に理解できるであろう。本発明の精神や原則を逸脱しないあらゆる修正、同等置換、改良などはすべて本発明の保護範囲内に含まれるものとする。
【符号の説明】
【０１６４】
ＮＲＡｉｎｄ  ＰＲＡＣＨの番号
【図１】
2011515972.tif 000040
【図２】
2011515972.tif 000041
【図３】
2011515972.tif 000042
【図４】
2011515972.tif 000043
【図５】
2011515972.tif 000044
【図６】
2011515972.tif 000045
【図７】
2011515972.tif 000046
【図８】
2011515972.tif 000047
【図９】
2011515972.tif 000048
【手続補正書】
【提出日】平成22年9月29日(2010.9.29)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、特に、物理ランダムアクセスチャネルのマッピング方法（Ｍｅｔｈｏｄ  ｆｏｒ  ｍａｐｐｉｎｇ  ｐｈｙｓｉｃａｌ  ｒａｎｄｏｍ  ａｃｃｅｓｓ  ｃｈａｎｎｅｌｓ）に関する。
【背景技術】
【０００２】
本願では、
【数１】
2011515972.tif 000049
を《Ｘ》と表記する。
本願では、
【数２】
2011515972.tif 000050
を〈Ｘ〉と表記する。
本願では、
【数３】
2011515972.tif 000051
をＸａｂと表記する。
【０００３】
図１は、ＬＴＥシステムの時分割複信（Ｔｉｍｅ  Ｄｉｖｉｓｉｏｎ  Ｄｕｐｌｅｘ、以下ＴＤＤと称する）モードのフレーム構造を示す図である。図１に示すように、このようなフレーム構造において、１０ｍｓ（３０７２００Ｔｓ、１ｍｓ=３０７２０Ｔｓ）の無線フレームは、二つの半フレームに分割され、各半フレームは、長さが５ｍｓ（１５３６００Ｔｓ）で、８個の長さが０．５ｍｓである通常のタイムスロットと、ダウンリンククパイロットタイムスロット（Ｄｏｗｎｌｉｎｋ  Ｐｉｌｏｔ  Ｔｉｍｅ  Ｓｌｏｔ、以下ＤｗＰＴＳと称する）、ガード区間（Ｇｕａｒｄ  Ｐｅｒｉｏｄ、以下ＧＰと称する）、及びアップリンクパイロットタイムスロット（Ｕｐｌｉｎｋ  Ｐｉｌｏｔ  Ｔｉｍｅ  Ｓｌｏｔ、以下ＵｐＰＴＳと称する）の、長さが合計１ｍｓ（３０７２０Ｔｓ）である３個の特殊のタイムスロットと、を含む。サブフレーム１は終始３個の特殊のタイムスロットから構成され、１０ｍｓ内に下りから上りへの切替えポイントが二つある場合、サブフレーム６は３個の特殊のタイムスロットから構成され、その他の場合において、サブフレーム６はＤｗＰＴＳ（ここで、ＤｗＰＴＳの長さは１ｍｓである）のみを含み、他のサブフレームは２個の通常のタイムスロットから構成される。
【０００４】
上述したフレーム構造において、サブフレーム０、サブフレーム５及びＤｗＰＴＳは下り伝送に、サブフレーム２及びＵｐＰＴＳは上り伝送に用いられる。１０ｍｓ内に下りから上りへの切替えポイントが二つある場合、サブフレーム７も上り伝送に用いられる。
【０００５】
ＬＴＥシステムのＴＤＤモードにおいて、物理ランダムアクセスチャネル（Ｐｈｙｓｉｃａｌ  Ｒａｎｄｏｍ  Ａｃｃｅｓｓ  Ｃｈａｎｎｅｌ、以下ＰＲＡＣＨと称する）は、以下のような２種類に分けることができる。
【０００６】
第１種は、通常の上りのサブフレーム（特殊のタイムスロットを含まないサブフレーム）において伝送されるもので、このようなＰＲＡＣＨは、以下のような４種類がある：
（１）Ｐｒｅａｍｂｌｅ  ｆｏｒｍａｔ ０（プリアンブルフォーマット０）：一つの上りのサブフレームを占め、サイクリックプレフィックス（Ｃｙｃｌｉｃ  Ｐｒｅｆｉｘ、以下ＣＰと称する）の長さは３１６８Ｔｓで、Ｐｒｅａｍｂｌｅ（プリアンブル）の長さは２４５７６Ｔｓである；
（２）Ｐｒｅａｍｂｌｅ  ｆｏｒｍａｔ １：二つの上りのサブフレームを占め、ＣＰ（Ｃｙｃｌｉｃ  Ｐｒｅｆｉｘ）の長さは２１０２４Ｔｓで、Ｐｒｅａｍｂｌｅ（プリアンブル）の長さは２４５７６Ｔｓである；
（３）Ｐｒｅａｍｂｌｅ  ｆｏｒｍａｔ ２：二つの上りのサブフレームを占め、ＣＰ（Ｃｙｃｌｉｃ  Ｐｒｅｆｉｘ）の長さは６２４０Ｔｓで、Ｐｒｅａｍｂｌｅ（プリアンブル）の長さは２×２４５７６Ｔｓである；
（４）Ｐｒｅａｍｂｌｅ  ｆｏｒｍａｔ ３：三つの上りのサブフレームを占め、ＣＰ（Ｃｙｃｌｉｃ  Ｐｒｅｆｉｘ）の長さは２１０２４Ｔｓで、Ｐｒｅａｍｂｌｅ（プリアンブル）の長さは２×２４５７６Ｔｓである；
【０００７】
第２種は、ＵｐＰＴＳ内で伝送されるもので、ＰＲＡＣＨの１種類であるＰｒｅａｍｂｌｅ ｆｏｒｍａｔ ４を含み、ＣＰの長さは４４８Ｔｓで、Ｐｒｅａｍｂｌｅ（プリアンブル）の長さは４０９６Ｔｓである；
【０００８】
周波数ドメインにおいて、上述した各種ＰＲＡＣＨは、いずれも６個の資源ブロック（Ｒｅｓｏｕｒｃｅ  Ｂｌｏｃｋ、以下ＲＢと称する）を占め、各ＲＢは、それぞれ帯域幅が１５ｋＨｚであるサブ搬送波を１２個含む。
【０００９】
携帯電話がシステムにアクセスする場合、先ず、下り同期を行った後、携帯電話は放送チャネルを複調してＰＲＡＣＨの構成パラメータを取得し、最後にＰＲＡＣＨによって上り同期を実現し、基地局との接続を構築する。ここで、ＴＤＤモードにおけるＰＲＡＣＨの構成パラメータは、密度（単位時間内において幾つのＰＲＡＣＨが利用可能であるか、例えば、Ｄ=２ＰＲＡＣＨ/１０ｍｓは、１０ｍｓ内において二つのＰＲＡＣＨが利用可能であることを示す）と、プリアンブルフォーマット（Ｐｒｅａｍｂｌｅ ｆｏｒｍａｔ）と、バージョン番号と、を含む。ここで、フォーマットと密度は同じであるがバージョンが異なると、Ｐｒｅａｍｂｌｅ ｆｏｒｍａｔ及び単位時間内におけるＰＲＡＣＨの数は同じであるが、これらのＰＲＡＣＨのタイムドメイン又は周波数ドメインの位置が異なることを意味する。フォーマット及び密度が同一であるＰＲＡＣＨに複数のバージョンを設け、異なるセルに異なるバージョンを利用する目的は、同一の基地局により管理される異なるセルのＰＲＡＣＨを時間的に分散させ、できるだけ同一の基地局により管理される各セルが異なるタイミングでＰＲＡＣＨの処理請求を提出するようにし、時刻によっては、基地局が込み合ったり処理待ちのデータがなくなったりすることを防止するためである。そして、Ｐｒｅａｍｂｌｅ ｆｏｒｍａｔ ４の種類であるＰＲＡＣＨの場合、ＵｐＰＴＳ内においてデータを送信しないため、異なるセルは異なるバージョンを利用し、各セルのＰＲＡＣＨのタイムドメイン又は周波数ドメインの位置は異なり、セル間のＰＲＡＣＨ干渉を低減する効果がある。
【００１０】
上り同期中において、携帯電話はＰＲＡＣＨの構成パラメータによって一定のアルゴリズムに従って本セルで利用可能のＰＲＡＣＨのタイムドメインと周波数ドメインの位置を取得する。既存技術において、合理的なタイムドメインと周波数ドメインの位置のマッピングアルゴリズムを提供していないため、同一の基地局のＰＲＡＣＨを処理する時間を均一に分布することができず、第２種のＰＲＡＣＨのセル間の干渉が大きい問題がある。
【発明の概要】
【発明が解決しようとする課題】
【００１１】
本発明は、上記の既存技術において合理的な周波数ドメイン位置のマッピングアルゴリズムが提出されていないため、同一の基地局のＰＲＡＣＨを処理する時間を均一に分布することができず、第２種のＰＲＡＣＨのセル間の干渉が大きい問題に鑑み提出されたもので、これらの問題における少なくとも一つを解決することのできる物理ランダムアクセスチャネルのマッピング方法を提出することを目的とする。
【課題を解決するための手段】
【００１２】
本発明によると、夫々の番号がｗ＝０、１、２、・・・、Ｗ−１であって、タイムドメインの位置が同一であるＷ個の物理ランダムアクセスチャネルに用いられる物理ランダムアクセスチャネルのマッピング方法を提供する。 
【００１３】
上記のマッピング方法において、ｗが偶数であるものは、利用可能な周波数帯域において高周波（又は低周波）から低周波（又は高周波）にマッピングし、奇数であるものは、利用可能な周波数帯域において低周波（又は高周波）から高周波（又は低周波）にマッピングし、且つ、一つの物理ランダムアクセスチャネルは、周波数ドメインにおいて６個の連続する資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波（または低周波）から低周波（又は高周波）にマッピングし、後の半分のＰＲＡＣＨは利用可能な周波数帯域において低周波（又は高周波）から高周波（又は低周波）にマッピングし、且つ、一つの物理ランダムアクセスチャネルは周波数ドメインにおいて６個の連続する資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。又は
ｗが偶数であるものは、利用可能な周波数帯域において高周波（又は低周波）から低周波（又は高周波）にマッピングし、奇数であるものは、利用可能な周波数帯域において低周波（又は高周波）から高周波（又は低周波）にマッピングし、且つ、一つの物理ランダムアクセスチャネルは周波数ドメインにおいて６個の連続する資源ブロックを占め、周波数ドメインにおいて隣り合う二つの物理ランダムアクセスチャネルが占める周波数帯域は重ならない。又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波（または低周波）から低周波（又は高周波）にマッピングし、後の半分のＰＲＡＣＨは、利用可能な周波数帯域において低周波（又は高周波）から高周波（又は低周波）にマッピングし、且つ、一つの物理ランダムアクセスチャネルは周波数ドメインにおいて６個の連続する資源ブロックを占め、周波数ドメインにおいて隣り合う二つの物理ランダムアクセスチャネルが占める周波数帯域は重ならない。
【００１４】
上記マッピング方法において、バージョン番号ｒは、基地局から送信されるＰＲＡＣＨの構成種類から直接取得する。
【００１５】
物理ランダムアクセスチャネルのフォーマットがプリアンブルフォーマット０〜３である場合、周波数ドメインにおいてマッピングする周波数ドメインでのマッピング式は以下の通りである：
【数４】
2011515972.tif 000052
ここで、ｋ´ＲＡは、ＰＲＡＣＨに利用可能な１個目の低周波の資源ブロックのシリアルナンバーであり、ＮＵＬＲＢは、上り帯域幅に対応する資源ブロックの総数であり、ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックスであり、即ち、同一のセルに属し、バージョン番号がｒであり、且つパラメータ（ｔ０ＲＡ，ｔ１ＲＡ，ｔ２ＲＡ）により確定されるタイムドメインの位置が同一である全ての物理ランダムアクセスチャネルの番号であり、ｔ０ＲＡは、物理ランダムアクセスチャネルがどの無線フレームに位置するかを示し、ｔ１ＲＡは、物理ランダムアクセスチャネルがどの半フレームに位置するかを示し、ｔ２ＲＡは、物理ランダムアクセスチャネルが半フレームにおいてどのサブフレームに位置するかを示す。
【発明の効果】
【００１６】
上記実施例による物理ランダムアクセスチャネルのマッピング方法によると、マッピングする際におけるバージョン番号の要素を考慮したため、同一の基地局のＰＲＡＣＨを処理する時間を均一に分布することができない問題を解決し、同一の基地局のＰＲＡＣＨを処理する時間を均一に分布することができると共に、第２種のＰＲＡＣＨのセル間の干渉を最大限低減することができる。
【図面の簡単な説明】
【００１７】
【図１】ＬＴＥシステムのＴＤＤモードのフレーム構造を示す図である。
【図２】利用可能な周波数資源を示す図である。
【図３】実施例１によるマッピング結果の一例を示す図である。
【図４】実施例１によるマッピング結果の他の一例を示す図である。
【図５】実施例６によるマッピング結果の一例を示す図である。
【図６】実施例６によるマッピング結果の他の一例を示す図である。
【図７】それぞれ利用可能な周波数帯域の両側からマッピングすることを示す図である。
【図８】実施例１１によるマッピング結果の一例を示す図である。
【図９】実施例１１によるマッピング結果の他の一例を示す図である。
【発明を実施するための形態】
【００１８】
図面は、本発明を更に理解するためのものであり、明細書の一部を構成する。また、本発明の実施例と共に本発明を解釈するものであり、本発明を限定するものではない。
【００１９】
機能の説明
本願の実施例による技術思想において、タイムドメインの位置が同じであるＷ個の物理ランダムアクセスチャネルにおいて、各物理ランダムアクセスチャネルの番号がｗ＝０、１、２、・・・、Ｗ−１であると、ｗが偶数である場合、利用可能な周波数帯域において高周波から低周波に、又は低周波から高周波にマッピングし、奇数である場合、利用可能な周波数帯域において低周波から高周波に、又は高周波から低周波にマッピングし、且つ一つの物理ランダムアクセスチャネルは６個の資源ブロック（本願の実施例における６個の資源ブロックは、周波数ドメインにおける連続する６個の資源ブロックを示す）を占め、周波数ドメインにおいて互いに隣り合う二つの物理ランダムアクセスチャネルが占める周波数帯域は重ならず、各バージョン番号ｒに対し、すべて同じマッピングプロセスを行う。
【００２０】
以下、図面を参照しつつ、実施例に合わせ、本発明を詳しく説明する。矛盾が生じることがなければ、本願の実施例及び実施例における特徴を組み合わせることができる。
【００２１】
本発明の実施例による物理ランダムアクセスチャネルのマッピング方法は、タイムドメインの位置が同一であるＷ個の物理ランダムアクセスチャネルに用いられる方法であり、ここで、各物理ランダムアクセスチャネルの番号はｗ＝０、１、２、・・・、Ｗ−１であり、以下のステップを含む。
【００２２】
ｗが偶数である場合、利用可能な周波数帯域において、高周波から低周波に、又は低周波から高周波にマッピングし、奇数である場合、利用可能な周波数帯域において、低周波から高周波に、又は高周波から低周波にマッピングし、且つ、一つの物理ランダムアクセスチャネルは６個の資源ブロックを占め、周波数ドメインにおいて互いに隣り合う二つの物理ランダムアクセスチャネルが占める周波数帯域は重ならず、各バージョン番号ｒに対し、すべて同様なマッピングプロセスを行い、又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波から低周波に、又は低周波から高周波にマッピングし、後の半分のＰＲＡＣＨは、利用可能な周波数帯域において低周波から高周波に、又は高周波から低周波にマッピングし、且つ、一つの物理ランダムアクセスチャネルは６個の資源ブロックを占め、周波数ドメインにおいて隣り合う二つの物理ランダムアクセスチャネルが占める周波数帯域は重ならず、各バージョン番号ｒに対し、すべて同様なマッピングプロセスを行い、又は、ｗが偶数である場合、利用可能な周波数帯域において高周波から低周波に、又は低周波から高周波にマッピングし、奇数である場合、利用可能な周波数帯域において低周波から高周波に、又は高周波から低周波にマッピングし、且つ、一つの物理ランダムアクセスチャネルは６個の資源ブロックを占め、周波数ドメインにおいて互いに隣り合う二つの物理ランダムアクセスチャネルが占める周波数帯域は重ならない、又は、前の半分（ｗ≦《Ｗ／２》又はｗ＜《Ｗ／２》又はｗ≦〈Ｗ／２〉又はｗ＜〈Ｗ／２〉）のＰＲＡＣＨは、利用可能な周波数帯域において高周波から低周波に、又は低周波から高周波にマッピングし、後の半分のＰＲＡＣＨは利用可能な周波数帯域において低周波から高周波に、又は高周波から低周波にマッピングし、且つ、一つの物理ランダムアクセスチャネルは６個の資源ブロックを占め、周波数ドメインにおいて隣り合う二つの物理ランダムアクセスチャネルが占める周波数帯域は重ならない。
【００２３】
該マッピング方法によると、マッピングする際のバージョン番号の要素を考慮したため、同一の基地局のＰＲＡＣＨを処理する時間を均一に分布できない等の問題が解決され、同一の基地局のＰＲＡＣＨを処理する時間を均一に分布できると共に、第２種のＰＲＡＣＨのセル間の干渉を最大限低減することができる。
【００２４】
本発明をより分かりやすく説明するために、以下のように定義を行うが、本発明を限定するものではない。
【００２５】
ＰＲＡＣＨを、密度がＤ、バージョン数がＲであると定義すると、一つのランダムアクセス周期内においてＲ《Ｄ》個のＰＲＡＣＨに番号付けを行う必要があり、即ち、ＮＲＡｉｎｄ＝０、１、・・・、Ｒ《Ｄ》−１となる。ここで、Ｄは該密度を利用するセルが一つのランダムアクセス周期内において幾つのＰＲＡＣＨが利用可能であるかを示し、例えばＤ = ｎ ＰＲＡＣＨ/１０ｍｓは、各１０ｍｓのランダムアクセス周期内でｎ個のＰＲＡＣＨが利用可能であることを示す（ｎ=０．５であると、各２０ｍｓのランダムアクセス周期内で一つのＰＲＡＣＨが利用可能であることを示す）。あるセルが一つのランダムアクセス周期内で利用可能なＰＲＡＣＨのインデックスがｄ（セル内のＰＲＡＣＨインデックス又は密度のインデックスと称することができる）であり、ｄ＝０、１、・・・、《Ｄ》−１であり、バージョン番号がｒ、ｒ＝０、１、・・・Ｒ−１であるとすると、マッピングアルゴリズム全体は、ＰＲＡＣＨの番号付けと、周波数ドメイン位置のマッピングとの二の部分に分けられる。
【００２６】
ＰＲＡＣＨの番号付け：
方法１
番号付けを行う場合、先ず密度インデックスを逓増させ、次にバージョン番号を逓増させる。
上記の定義によると、ＮＲＡｉｎｄ＝ｒ《Ｄ》＋ｄとなり、ここでＮＲＡｉｎｄ＝０、１、・・・、Ｒ《Ｄ》−１であり、ｄ＝０、１、・・・、《Ｄ》−１であり、ｒ＝０、１、・・・Ｒ−１である。
【００２７】
方法２
番号付けを行う場合、先ずバージョン番号を逓増させ、次に密度インデックスを逓増させる。
上記の定義によると、ＮＲＡｉｎｄ＝ｄＲ＋ｒとなり、ここでＮＲＡｉｎｄ＝０、１、・・・、Ｒ《Ｄ》−１であり、ｄ＝０、１、・・・、《Ｄ》−１であり、ｒ＝０、１、・・・Ｒ−１である。
【００２８】
そして、番号付けを行う際に《ＮＲＡｉｎｄ／ＮＲＡｔ》≦ＮＢＷＲＡを満たさなければならない。ここで、ＮＲＡｔは一つのランダムアクセス周期内においてタイムドメインに収容可能な現フォーマットのＰＲＡＣＨの数であり、ＮＢＷＲＡは利用可能な周波数資源に収容可能なＰＲＡＣＨの数である。
【００２９】
周波数ドメインのマッピング：一つのＰＲＡＣＨがタイムドメインにおいてＬ個の上りサブフレームを占めると、該Ｌ個の上りサブフレームにマッピングされるＰＲＡＣＨを周波数ドメインにマッピングする（Ｐｒｅａｍｂｌｅ ｆｏｒｍａｔ ４の場合、ここでの上りサブフレームはＵｐＰＴＳである）。
【００３０】
方法１
ＰＲＡＣＨを利用可能な周波数資源において低周波から高周波に、又は高周波から低周波にマッピングし、一つのＰＲＡＣＨは６個のＲＢを占め、周波数ドメインにおいて隣り合う二つのＰＲＡＣＨが占める周波数帯域は重ならない。
【００３１】
方法２
ＰＲＡＣＨを利用可能な周波数資源において中間から両側にマッピングし、一つのＰＲＡＣＨは６個のＲＢを占め、周波数ドメインにおいて隣り合う二つのＰＲＡＣＨが占める周波数帯域は重ならない。
【００３２】
通常の上りサブフレームの場合、ＰＲＡＣＨの利用可能な周波数資源とは、現システムにおける利用可能な全ての周波数資源において、PＵＣＣＨの占める周波数資源以外の周波数資源、又は現システムにおける利用可能なすべての周波数資源を示す。ＵｐＰＴＳの場合、ＰＲＡＣＨの利用可能な周波数資源とは、現システムにおける利用可能なすべての周波数資源を示し、図２は、利用可能な周波数資源を示す図である。
【００３３】
方法３
利用可能な周波数資源において、バージョン番号ｒが同一であるＰＲＡＣＨを低周波から高周波に、又は高周波から低周波にマッピングし、一つの物理ランダムアクセスチャネルは６個の資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。
【００３４】
例えば、番号が０、４、６、８であるＰＲＡＣＨにおいて、０、６に対応するバージョン番号ｒが同一であり、４、８に対応するバージョン番号ｒが同一であると、０、６は低周波から高周波にマッピングし、４、８も同様に低周波から高周波にマッピングし、最終的に、０と４の周波数ドメインの位置が同一となり、６と８の周波数ドメインの位置が同一となる。
【００３５】
方法４
利用可能な周波数資源において、バージョン番号ｒが同一であるＰＲＡＣＨは低周波から高周波に、又は高周波から低周波にマッピングし、一つの物理ランダムアクセスチャネルは６個の資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。
【００３６】
方法５
バージョン番号ｒが同一である上記物理ランダムアクセスチャネルを、利用可能な周波数資源において両側から中間にマッピングする。
【００３７】
上記のＬ個のサブフレームにマッピングされた、バージョン番号がｒである物理ランダムアクセスチャネルがＷ個ある場合、ＮＲＡｉｎｄが小さい順に、改めて、ｗ＝０、１、２、・・・、Ｗ−１と番号付けを行うと、そのマッピング方法は以下のようになる。
ｗが偶数の場合は、利用可能な周波数帯域において高周波（又は低周波）から低周波（又は高周波）にマッピングし、奇数である場合、利用可能な周波数帯域において低周波（又は高周波）から高周波（又は低周波）にマッピングし、且つ、一つの前記物理ランダムアクセスチャネルは６個の資源ブロックを占め、周波数ドメインにおいて隣り合う二つの物理ランダムアクセスチャネルが占める周波数帯域は重ならない。各バージョン番号ｒに対し、すべて同様なマッピングプロセスを行い、又は、前の半分（ｗ≦《Ｗ／２》又はｗ＜《Ｗ／２》又はｗ≦〈Ｗ／２〉又はｗ＜〈Ｗ／２〉）のＰＲＡＣＨを利用可能な周波数帯域において高周波（又は低周波）から低周波（又は高周波）にマッピングし、後の半分のＰＲＡＣＨを利用可能な周波数帯域において低周波（又は高周波）から高周波（又は低周波）にマッピングし、且つ、一つの物理ランダムアクセスチャネルは６個の資源ブロックを占め、周波数ドメインにおいて隣り合う二つの物理ランダムアクセスチャネルが占める周波数帯域は重ならない。各バージョン番号ｒに対し、すべて同様なマッピングプロセスを行う。
【００３８】
例えば、ＰＲＡＣＨのフォーマットがＰｒｅａｍｂｌｅ ｆｏｒｍａｔ ０であると、Ｌ =１であり、インデックスＮＲＡｉｎｄ＝０、４、６、８、９、１０であるＰＲＡＣＨは、ある上りサブフレームにマッピングされる。ここで、０、４、６に対応するバージョン番号は同一であり、ｒ=０である。また、８、９、１０に対応するバージョン番号は同一であり、ｒ=１である。ｒ=０、ｗ =０、１、２は、０、４、６に対応し、ｒ= １、ｗ=０、１、２は８、９、１０に対応する。ｗが奇数であるものを利用可能な周波数帯域において低周波から高周波にマッピングし、ｗが偶数であるものを利用可能な周波数帯域において高周波から低周波にマッピングすると、そのマッピングの結果は図７に示す通りである。その中、ＮＲＡｉｎｄが０、８であるＰＲＡＣＨの周波数ドメインの位置は同一であり、ＮＲＡｉｎｄが４、９であるＰＲＡＣＨの周波数ドメインの位置は同一であり、ＮＲＡｉｎｄが６、１０であるＰＲＡＣＨの周波数ドメインの位置は同一である。
【００３９】
方法６
該Ｌ個のサブフレームにマッピングされた物理ランダムアクセスチャネルがＷ個ある場合、ＮＲＡｉｎｄの小さい順に、改めてｗ＝０、１、２、・・・、Ｗ−１と番号付けを行うと、そのマッピング方法は以下の通りである。
【００４０】
ｗが偶数の場合は、利用可能な周波数帯域において高周波（又は低周波）から低周波（又は高周波）にマッピングし、奇数である場合、利用可能な周波数帯域において低周波（又は高周波）から高周波（又は低周波）にマッピングし、且つ、一つの物理ランダムアクセスチャネルは６個の資源ブロックを占め、周波数ドメインにおいて隣り合う二つの物理ランダムアクセスチャネルが占める周波数帯域は重ならない、又は、前の半分（ｗ≦《Ｗ／２》又はｗ＜《Ｗ／２》又はｗ≦〈Ｗ／２〉又はｗ＜〈Ｗ／２〉）のＰＲＡＣＨを利用可能な周波数帯域において高周波（又は低周波）から低周波（又は高周波）にマッピングし、後の半分のＰＲＡＣＨを利用可能な周波数帯域において低周波（又は高周波）から高周波（又は低周波）にマッピングし、且つ、一つの物理ランダムアクセスチャネルは６個の資源ブロックを占め、周波数ドメインにおいて隣り合う二つの物理ランダムアクセスチャネルが占める周波数帯域は重ならない。
【００４１】
密度Ｄは、基地局によりＰＲＡＣＨの制御シグナリングを介し、直接携帯電話に通知する。
【００４２】
バージョン数Ｒは、以下のような三つの方法で取得する：
（一）基地局から携帯電話に送信したＰＲＡＣＨ構成種類に基づき、ＰＲＡＣＨ構成集合におけるＰｒｅａｍｂｌｅ ｆｏｒｍａｔと密度の組合せのバージョン数から確定する；
（二）システムが周波数ドメインにおいて支援するＰＲＡＣＨの数ＮＢＷＲＡと、１０ｍｓ内における切替えポイント数ＮＳＰと、ＰＲＡＣＨの密度Ｄに基づき、式Ｒ＝〈ＮＢＷＲＡ・ＮＳＰ／Ｄ〉に従って、バージョン数を取得する；
（三）バージョン数はＲ＝ｍｉｎ（〈ＮＢＷＲＡ・ＮＳＰ／Ｄ〉，３）であり、即ち、最大値を３に限定する。
【００４３】
バージョン番号ｒは、以下のような二つの方法で取得する：
（一）基地局が携帯電話に送信したＰＲＡＣＨの構成種類に基づき、直接取得する。
（二）セルＩＤに基づき、バージョン番号を算出する、即ちｒ＝ＮｃｅｌｌＩＤｍｏｄＲである。
【００４４】
本願の実施例が提供する方法により、ＰＲＡＣＨの周波数ドメイン位置をマッピングすると、同一の基地局のＰＲＡＣＨを処理する時間を均一に分布させることができると共に、第２種のＰＲＡＣＨのセル間の干渉を最大限低減させることができる。
【００４５】
実施例１
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルの一つのランダムアクセス周期内において利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓ無線フレーム内における下りから上りへの切替えポイントの数をＮｓｐとし、半フレーム内のタイムドメインに収容されたあるフォーマットのＰＲＡＣＨの数をＮＨＦＲＡ（ｉ）とする。
【００４６】
ＰＲＡＣＨの番号付け：番号付けを行う場合、先ず密度インデックスを逓増させ、次に、バージョン番号を逓増させ、即ちＮＲＡｉｎｄ＝ｒ《Ｄ》＋ｄとなり、ここで、ＮＲＡｉｎｄ＝０、１、・・・、Ｒ《Ｄ》−１であり、ｄ＝０，１、・・・、《Ｄ》−１であり、ｒ∈〔０、Ｒ−１〕である。
【００４７】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ周波数ドメインにおいて隣り合う二つのＰＲＡＣＨが占める周波数帯域は重ならない。
【００４８】
上記のマッピング原理は以下の式で表すことができる。
【数５】
2011515972.tif 000053
ここで、
（１）ｔＲＡ０は、ＰＲＡＣＨがどの無線フレームに位置するかを示し、０は各無線フレームいずれにも存在することを示し、１は偶数の無線フレームに、２は奇数の無線フレームに位置することを示す。そして、Ｄ=０．５である場合、ＮＲＡｉｎｄ＝ｒであるため、ｔＲＡ０＝α〔（ｒｍｏｄ２）＋１〕となる；
（２）ｔＲＡ１は、ＰＲＡＣＨがどの半フレームに位置するかを示し、０は１個目の半フレーム、２は２個目の半フレームに位置することを示す；
（３）ｔＲＡ２は、ＰＲＡＣＨがある半フレーム内のどのサブフレームに位置するかを示し、即ち、ＰＲＡＣＨのある半フレーム内での開始位置、つまり何個目の上りサブフレームから開始するかを示す（但し、短いＲＡＣＨにおいては、必要でない）。例えば、ｔＲＡ２＝０は、１個目の上りサブフレームから開始することを示す；
特に説明がなければ、以下に記載のｔＲＡ０、ｔＲＡ１、ｔＲＡ２はここでの解釈を参照すればよい；
（４）ｆＲＡは、周波数ドメインにおけるＰＲＡＣＨの番号であり、番号と周波数ドメインにおける具体的なＰＲＡＣＨの開始ＲＢとのマッピング関係はｋＲＡ＝ｋ´ＲＡ＋ｆＲＡ・６となり、ここで、ｋ´ＲＡは周波数ドメインにおけるＰＲＡＣＨに利用可能な１個目のＲＢの位置である；
（５）Ｐｒｅａｍｂｌｅ ｆｏｒｍａｔ ０〜３の場合、ＬはこのようなフォーマットのＰＲＡＣＨが占める上りサブフレームの数であり、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の半フレーム、ｉ=１であると２個目の半フレームを示す；
（６）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定し、Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの帯域幅において、周波数ドメインに収容可能なＰＲＡＣＨの数を示す；
（７）Ｐｒｅａｍｂｌｅ ｆｏｒｍａｔ ０〜３の場合、ｒは基地局が携帯電話に送信したＰＲＡＣＨの構成種類に基づいて直接取得することができる。Ｐｒｅａｍｂｌｅ ｆｏｒｍａｔ ４の場合、ｒ＝ＮｃｅｌｌＩＤｍｏｄＲである。
【００４９】
上述のマッピングアルゴリズムによると、（ｒ、ｄ)がバージョンがｒであるｄ個目のＰＲＡＣＨを示すと、
（１）Ｒ=３、Ｄ=５であり、ＰＲＡＣＨのフォーマットがＰｒｅａｍｂｌｅ ｆｏｒｍａｔ ０で、Ｄ:Ｕ=１:３であると、ＮＲＡｉｎｄ＝０、１、・・・、１４はそれぞれ(０、０)、(０、１)、(０、２)、(０、３)、(０、４)、(１、０)、(１、１)、(１、２)、(１、３)、(１、４)、(２、０)、(２、１)、(２、２)、(２、３)、(２、４)に対応し、タイムドメインと周波数ドメインの位置のマッピング結果は図３に示す通りである；
（２）Ｒ=３、Ｄ=３であり、ＰＲＡＣＨのフォーマットがＰｒｅａｍｂｌｅ ｆｏｒｍａｔ ０で、Ｄ:Ｕ=３:１であると、ＮＲＡｉｎｄ＝０、１、・・・、８はそれぞれ(０、０)、(０、１)、(０、２)、(１、０)、(１、１)、(１、２)、(２、０)、(２、１)、(２、２)に対応し、タイムドメインと周波数ドメインの位置のマッピング結果は図４に示す通りである。
【００５０】
実施例２
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセス周期内で利用可能なＰＲＡＣＨのインデックスをｄ（セル内のＰＲＡＣＨインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内における下りから上りへの切替えポイントの数をＮＳＰとし、半フレーム内のタイムドメインに収容されたあるフォーマットのＰＲＡＣＨの数をＮＨＦＲＡ（ｉ）とする。
【００５１】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００５２】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００５３】
上述したマッピングの原理は以下の式で表すことができる：
【数６】
2011515972.tif 000054
ここで、
（１）ｆＲＡは、周波数ドメインにおけるＰＲＡＣＨの番号であり、番号と周波数ドメインにおける具体的なＰＲＡＣＨの開始ＲＢとのマッピング関係はｋＲＡ＝ｋ´ＲＡ＋ｆＲＡ・６となり、ここで、ｋ´ＲＡは周波数ドメインにおけるＰＲＡＣＨに利用可能な１個目のＲＢのシリアルナンバーであり、即ち、ｋ´ＲＡは周波数ドメインにおけるＰＲＡＣＨに利用可能な１個目のＲＢの位置である；
（２）Ｐｒｅａｍｂｌｅ ｆｏｒｍａｔ ０〜３の場合、ＬはこのようなフォーマットのＰＲＡＣＨが占める上りサブフレームの数であり、ＮＵＬ，ＨＦｓｕｂ−ｆｒａｍｅ（ｉ）は半フレーム内の上りサブフレームの数を示し、Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数であり、ｉ=０であると１個目の半フレーム、ｉ=１であると２個目の半フレームを示す;
（３）Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（４）バージョン番号ｒは、基地局が携帯電話に送信したＰＲＡＣＨの構成種類から直接取得することができる。
【００５４】
実施例３
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨのインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内においてタイムドメインに収容されたあるフォーマットのＰＲＡＣＨの数をＮＨＦＲＡ（ｉ）とする。
【００５５】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００５６】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００５７】
上述したマッピングの原理は以下の式で表すことができる：
【数７】
2011515972.tif 000055
ここで、
（１）ｆＲＡは、周波数ドメインにおけるＰＲＡＣＨの番号であり、番号と周波数ドメインにおける具体的なＰＲＡＣＨの開始ＲＢとのマッピング関係はｋＲＡ＝ｋ´ＲＡ＋ｆＲＡ・６となり、ここで、ｋ´ＲＡは周波数ドメインにおけるＰＲＡＣＨに利用可能な１個目のＲＢの位置である；
（２）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の、ｉ=１であると２個目の半フレームを示す;
（３）Ｐｒｅａｍｂｌｅ ｆｏｒｍａｔ ０〜３の場合、Ｒは基地局が携帯電話に送信したＰＲＡＣＨの構成種類に基づいて、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの帯域幅において、周波数ドメインに収容可能なＰＲＡＣＨの数を示す；
（４）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲである。
【００５８】
実施例４
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる、ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【００５９】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００６０】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００６１】
上述したマッピングの原理は以下の式で表すことができる：
【数８】
2011515972.tif 000056
ここで、
（１）ｆＲＡは、周波数ドメインにおけるＰＲＡＣＨの番号であり、番号と周波数ドメインにおける具体的なＰＲＡＣＨの開始ＲＢとのマッピング関係はｋＲＡ＝ｋ´ＲＡ＋ｆＲＡ・６となり、ここで、ｋ´ＲＡは周波数ドメインにおけるＰＲＡＣＨに利用可能な１個目のＲＢの位置である；
（２）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数であり、Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の、ｉ=１であると２個目の半フレームを示す；
（３）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（４）バージョン番号ｒは、基地局が携帯電話に送信したＰＲＡＣＨの構成種類から直接取得することができる。
【００６２】
実施例５
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【００６３】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００６４】
周波数ドメインのマッピング
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない
【００６５】
実施例６
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨのインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内においてタイムドメインに収容されるあるフォーマットのＰＲＡＣＨの数をＮＨＦＲＡ（ｉ）
とする。
【００６６】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００６７】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００６８】
Ｐｒｅａｍｂｌｅ ｆｏｒｍａｔ ０〜３の場合、
利用可能な周波数資源において、バージョン番号ｒが同一であるＰＲＡＣＨsを、番号（ＮＲＡｉｎｄ）の小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号ｒに対し、同様なマッピングプロセスを行う。
【００６９】
上述したマッピング原理は以下の式で表すことができる：
【数９】
2011515972.tif 000057
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係はｋＲＡ＝ｋ´ＲＡ＋ｆｒＬＲＡ（ｔ０ＲＡ，ｔ１ＲＡ，ｔ２ＲＡ）・６となり、ここで、ｋ´ＲＡは周波数ドメインにおけるＰＲＡＣＨに利用可能な１個目のＲＢの位置である；
（３）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の、ｉ=１であると２個目の半フレームを示す；
（５）Ｐｒｅａｍｂｌｅ ｆｏｒｍａｔ ０〜３の場合、Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの帯域幅において、周波数ドメインに収容可能なＰＲＡＣＨの数を示す；
（６）Ｐｒｅａｍｂｌｅ ｆｏｒｍａｔ ０〜３の場合、Ｒは基地局が携帯電話に送信したＰＲＡＣＨの構成種類から直接取得することが可能であり、Ｐｒｅａｍｂｌｅ ｆｏｒｍａｔ ４の場合、ｒ＝ＮｃｅｌｌＩＤｍｏｄＲである。
【００７０】
上述したマッピングアルゴリズムによると、(ｒ，ｄ)がバージョンがｒであるｄ個目のＰＲＡＣＨを示す場合、
（１）Ｒ=３で、Ｄ=５であり、ＰＲＡＣＨのフォーマットがＰｒｅａｍｂｌｅ ｆｏｒｍａｔ ０であり、Ｄ:Ｕ=１:３であると、ＮＲＡｉｎｄ＝０、１、・・・、１４はそれぞれ(０、０)、(０、１)、(０、２)、(０、３)、(０、４)、(１，０)、(１、１)、(１、２)、(１、３)、(１、４)、(２、０)、(２、１)、(２、２)、(２、３)、(２、４)に対応し、そのタイムドメイン、周波数ドメインの位置のマッピング結果は図５に示す通りである。ここで、(０、０)、(１、１)、(２、２)の周波数ドメインの位置は同一であり、(０、２)、(１、３)、(２、４)の周波数ドメインの位置は同一であり、(０、４)、(２、０)の周波数ドメインの位置は同一であり、(０、１)、(１、２)、(２、３)の周波数ドメインの位置は同一であり、(０、３)、(１、４)の周波数ドメインの位置は同一であり、(１、０)、(２、１)の周波数ドメインの位置は同一である；
（２）Ｒ=３で、Ｄ=３であり、ＰＲＡＣＨのフォーマットがＰｒｅａｍｂｌｅ ｆｏｒｍａｔ ０であり、Ｄ:Ｕ=３:１であると、ＮＲＡｉｎｄ＝０、１、・・・、８はそれぞれ(０、０)、(０、１)、(０、２)、(１、０)、(１、１)、(１、２)、(２、０)、(２、１)、(２、２)に対応し、そのタイムドメイン、周波数ドメインの位置のマッピング結果は図６に示す通りである。ここで、(０、０)、(１、１)、(２、０) の周波数ドメインの位置は同一であり、(０、２)、(２、２) の周波数ドメインの位置は同一であり、(０、１)、(１、０)、(２、１) の周波数ドメインの位置は同一である。
【００７１】
実施例７
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセス周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内における下りから上りへの切替えポイントの数をＮＳＰとし、半フレーム内のタイムドメインに収容されるあるフォーマットのＰＲＡＣＨの数をＮＨＦＲＡ（ｉ）とする。
【００７２】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００７３】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００７４】
Ｐｒｅａｍｂｌｅ ｆｏｒｍａｔ ０〜３の場合、
利用可能な周波数資源において、バージョン番号Ｒが同一であるＰＲＡＣＨを、番号（ＮＲＡｉｎｄ）の小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号Ｒに対し、すべて同様なマッピングプロセスを行う。
【００７５】
上述したマッピングの原理は以下の式で表すことができる：
【数１０】
2011515972.tif 000058
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であり、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係はｋＲＡ＝ｋ´ＲＡ＋ｆｒＬＲＡ（ｔ０ＲＡ，ｔ１ＲＡ，ｔ２ＲＡ）・６となり、ここで、ｋ´ＲＡは周波数ドメインにおけるＰＲＡＣＨに利用可能な１個目のＲＢの位置である；
（３）ＮｒＲＡ（ｔ０ＲＡ，ｔ１ＲＡ，ｔ２ＲＡ）は、バージョン番号がＲであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の半フレーム、ｉ=１であると２個目の半フレームを示す；
（５）Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（６）バージョン番号ｒは、基地局が携帯電話に送信したＰＲＡＣＨの構成種類から直接取得することができる。
【００７６】
実施例８
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨのインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内においてタイムドメインに収容されるあるフォーマットのＰＲＡＣＨの数をＮＨＦＲＡ（ｉ）とする。
【００７７】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００７８】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００７９】
Ｐｒｅａｍｂｌｅ ｆｏｒｍａｔ ０〜３の場合、
利用可能な周波数資源において、バージョン番号ｒが同一であるＰＲＡＣＨを、番号（ＮＲＡｉｎｄ）の小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号ｒに対し、すべて同様なマッピングプロセスを行う。
【００８０】
上述したマッピング原理は以下の式で表すことができる：
【数１１】
2011515972.tif 000059
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係はｋＲＡ＝ｋ´ＲＡ＋ｆｒＬＲＡ（ｔ０ＲＡ，ｔ１ＲＡ，ｔ２ＲＡ）・６となり、ｋ´ＲＡは周波数ドメインにおけるＰＲＡＣＨに利用可能な１個目のＲＢの位置である；
（３）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の、ｉ=１であると２個目の半フレームを示す；
（５）Ｐｒｅａｍｂｌｅ ｆｏｒｍａｔ ０〜３の場合、Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することが可能であり、Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの帯域幅において、周波数ドメインに収容可能なＰＲＡＣＨの数を示す；
（６）Ｐｒｅａｍｂｌｅ ｆｏｒｍａｔ ０〜３の場合、Ｒは基地局が携帯電話に送信したＰＲＡＣＨの構成種類から直接取得することが可能であり、Ｐｒｅａｍｂｌｅ ｆｏｒｍａｔ ４の場合、ｒ＝ＮｃｅｌｌＩＤｍｏｄＲである。
【００８１】
実施例９
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨのインデックス又は密度インデックスと称することもできる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内においてタイムドメインに収容されるあるフォーマットのＰＲＡＣＨの数をＮＨＦＲＡ（ｉ）とする。
【００８２】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００８３】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００８４】
Ｐｒｅａｍｂｌｅ ｆｏｒｍａｔ ０〜３の場合、
利用可能な周波数資源において、バージョン番号ｒが同一であるＰＲＡＣＨを、番号（ＮＲＡｉｎｄ）の小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号ｒに対し、すべて同様なマッピングプロセスを行う。
【００８５】
上述したマッピング原理は以下の式で表すことができる：
【数１２】
2011515972.tif 000060
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であり、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係はｋＲＡ＝ｋ´ＲＡ＋ｆｒＬＲＡ（ｔ０ＲＡ，ｔ１ＲＡ，ｔ２ＲＡ）・６であることが可能であり、ｋ´ＲＡは周波数ドメインにおけるＰＲＡＣＨに利用可能な１個目のＲＢの位置である；
（３）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレーム内のＵｐＰＴＳの数を示し、ｉ=０であると１個目の半フレーム、ｉ=１であると２個目の半フレームを示す；
（５）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（６）バージョン番号ｒは、基地局が携帯電話に送信したＰＲＡＣＨの構成種類から直接取得することができる。
【００８６】
実施例１０
ＰＲＡＣＨの密度をＤ（Ｄ=０．５、１、２、３、５、１０ＰＲＡＣＨ/１０ｍｓ）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【００８７】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００８８】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００８９】
実施例１１
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【００９０】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００９１】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００９２】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【００９３】
該Ｌ個のサブフレームにマッピングされた、バージョン番号がＲである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【００９４】
上述したマッピングの原理は以下の式で表すことができる：
【数１３】
2011515972.tif 000061
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、ｆＳＲＡ（ｔ０ＲＡ，ｔ１ＲＡ，ｔ２ＲＡ）＝０，１，．．．，ＮＳＲＡ（ｔ０ＲＡ，ｔ１ＲＡ，ｔ２ＲＡ）−１となり、即ち、タイムドメインの位置が（ｔ０ＲＡ，ｔ１ＲＡ，ｔ２ＲＡ）により確定される全てのＰＲＡＣＨをＮＲＡｉｎｄの小さい順に、改めて番号付けを行った結果である。番号と周波数ドメインにおける具体的なＰＲＡＣＨの開始ＲＢとのマッピング関係はｋＲＡ＝ｋ´ＲＡ＋ｆＳＲＡ・６となり、ｋ´ＲＡはＰＲＡＣＨに利用可能な１個目の低周波のＲＢの位置を示す；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号はｒであり、且つ、タイムドメインの位置が（ｔ０ＲＡ，ｔ１ＲＡ，ｔ２ＲＡ）により確定される全てのＰＲＡＣＨをＮＲＡｉｎｄの順に、改めて番号付けを行った結果である。番号と周波数ドメインにおける具体的なＰＲＡＣＨの開始ＲＢとのマッピング関係は
【数１４】
2011515972.tif 000062
であることが可能であり、ｋ´ＲＡはＰＲＡＣＨに利用可能な１個目の低周波のＲＢの位置を示し、ＮＵＬＲＢは上り資源ブロックの総数を示す；
（３）ＮｒＬＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ０〜３）の数を示し、ＮＳＲＡ（ｔ０ＲＡ，ｔ１ＲＡ，ｔ２ＲＡ）は、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ４）の数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は半フレームにおけるＵｐＰＴＳの数を示し、ｉ=０であると１個目の半フレーム、ｉ=１であると２個目の半フレームを示す；
（５）Ｐｒｅａｍｂｌｅ ｆｏｒｍａｔ ０〜３の場合、Ｒは基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することが可能であり、Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの周波数帯域において、周波数ドメインに収容可能なＰＲＡＣＨの数を示す。又は、Ｒ＝ｍｉｎ（〈ＮＢＷＲＡ・ＮＳＰ／Ｄ〉，３）であり、又は、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる；
（６）Ｐｒｅａｍｂｌｅ ｆｏｒｍａｔ ０〜３の場合、Ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲにより、又は、基地局が携帯電話に送信したＰＲＡＣＨの構成種類から直接取得する。
【００９５】
上述したマッピングアルゴリズムによると、(ｒ、ｄ)がバージョンがｒであるｄ個目のＰＲＡＣＨを表する場合、
（１）Ｒ=３で、Ｄ=５であり、ＰＲＡＣＨのフォーマットがＰｒｅａｍｂｌｅ ｆｏｒｍａｔ ０で、Ｄ:Ｕ=１:３であると、ＮＲＡｉｎｄ＝０、１、・・・、１４はそれぞれ(０、０)、(０、１)、(０、２)、(０、３)、(０、４)、(１、０)、(１、１)、(１、２)、(１、３)、(１、４)、(２、０)、(２、１)、(２、２)、(２、３)、(２、４)に対応し、そのタイムドメイン、周波数ドメインの位置のマッピング結果は図8に示す通りであり、ここで、(０、０)、(１、１)、(２、２)の周波数ドメインの位置は同一であり、(０、２)、(１、３)、(２、４)の周波数ドメインの位置は同一であり、(０、４)、(２,０)の周波数ドメインの位置は同一であり、(０、１)、(１、２)、(２、３)の周波数ドメインの位置は同一であり、(０、３)、(１、４)の周波数ドメインの位置は同一であり、(１、０)、(２、１)の周波数ドメインの位置は同一である。
（２）Ｒ=３、Ｄ=３であり、ＰＲＡＣＨのフォーマットがＰｒｅａｍｂｌｅ ｆｏｒｍａｔ ０で、Ｄ:Ｕ=３:１であると、ＮＲＡｉｎｄ＝０、１、・・・、８はそれぞれ(０、０)、(０、１)、(０、２)、(１、０)、(１、１)、(１、２)、(２、０)、(１、２)、(２、２)に対応し、そのタイムドメイン、周波数ドメインの位置のマッピング結果は図9に示す通りである。ここで、(０、０)、(１、１)、(２、０)の周波数ドメインの位置は同一であり、(０、２)、(２、２)の周波数ドメインの位置は同一である。
【００９６】
実施例１２
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセス周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕
）とし、１０ｍｓの無線フレーム内における下りから上りへの切替えポイントの数をＮＳＰとし、半フレーム内のタイムドメインに収容されるあるフォーマットのＰＲＡＣＨの数をＮＨＦＲＡ（ｉ）とする。
【００９７】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【００９８】
周波数ドメインのマッピング
Ｐｒｅａｍｂｌｅ ｆｏｒｍａｔ ５の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【００９９】
Ｐｒｅａｍｂｌｅ ｆｏｒｍａｔ ０〜３の場合、
ＮＲＡｉｎｄの小さい順に、順次、バージョン番号Ｒが同一である物理ランダムアクセスチャネルを利用可能な周波数資源において両側から中間にマッピングする。
【０１００】
該Ｌ個のサブフレームにマッピングされたバージョン番号がＲである物理ランダムアクセスチャネルがＷ個あって、ＮＲＡｉｎｄの小さい順に、ｗ＝０、１、２、・・・、Ｗ−１と改めて番号付けを行うと、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１０１】
上述したマッピングの原理は以下の式で表すことができる：
【数１５】
2011515972.tif 000063
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数１６】
2011515972.tif 000064
であることが可能であり、ｋ´ＲＡはＰＲＡＣＨに利用可能な１個目の低周波のＲＢの位置を示し、ＮＵＬＲＢは上り資源ブロックの総数を示す；
（３）ＮｒＲＡ（ｔ０ＲＡ，ｔ１ＲＡ，ｔ２ＲＡ）は、バージョン番号はｒであり、且つ、タイムドメインの位置が（ｔ０ＲＡ，ｔ１ＲＡ，ｔ２ＲＡ）により確定される全てのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ５の場合、Ｌ = １であり、ＮＵＬ，ＨＦｓｕｂ−ｆｒａｍｅ（ｉ）は半フレームにおけるＵｐＰＴＳの数を示し、ｉ=０であると１個目の半フレーム、ｉ=１であると２個目の半フレームを示す；
（５）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（６）バージョン番号ｒは、基地局が携帯電話に送信したＰＲＡＣＨの構成種類から直接取得することができる。
【０１０２】
実施例１３
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１０３】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１０４】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【０１０５】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【０１０６】
該Ｌ個のサブフレームにマッピングされたバージョン番号がＲである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１０７】
上述したマッピングの原理は以下の式で表すことができる：
【数１７】
2011515972.tif 000065
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であり、具体的な周波数ドメインの位置はｋＲＡ＝ｋ´ＲＡ＋ｆＳＲＡ・６であることが可能であり、ｋ´ＲＡは周波数ドメインにおけるＰＲＡＣＨに利用可能な１個目のＲＢの位置を示す；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数１８】
2011515972.tif 000066
であることが可能であり、ｋ´ＲＡはＰＲＡＣＨに利用可能な１個目の低周波のＲＢの位置を示し、ＮＵＬＲＢは上り資源ブロックの総数を示す；
（３）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定される全てのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は、半フレーム内の上りサブフレームの数を示す。Ｐｒｅａｍｂｌｅ ｆｏｒｍａｔ ５の場合、Ｌ = １であり、ＮＵＬ，ＨＦｓｕｂ−ｆｒａｍｅ（ｉ）は半フレームにおけるＵｐＰＴＳの数を示し、ｉ=０であると１個目の半フレーム、ｉ=１であると２個目の半フレームを示す；
（５）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは現システムの周波数帯域において、周波数ドメインに収容可能なＰＲＡＣＨの数を示す；
（６）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲである。
【０１０８】
実施例１４
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１０９】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１１０】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【０１１１】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【０１１２】
該Ｌ個のサブフレームにマッピングされたバージョン番号がＲである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１１３】
上述したマッピングの原理は以下の式で表すことができる：
【数１９】
2011515972.tif 000067
ここで、
（１）ｆＳＲＡは、Ｐｒｅａｍｂｌｅ ｆｏｒｍａｔ ４の周波数ドメインのマッピングのインデックス（周波数ドメインにおけるＰＲＡＣＨの番号）であるが、具体的な周波数ドメインの位置はｋＲＡ＝ｋ´ＲＡ＋ｆＳＲＡ・６であることが可能であり、ｋ´ＲＡは、周波数ドメインにおけるＰＲＡＣＨに利用可能な１個目のＲＢの位置である；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２０】
2011515972.tif 000068
であり、ｋ´ＲＡは、ＰＲＡＣＨに利用可能な１個目の低周波のＲＢの位置であり、ＮＵＬＲＢは上り資源ブロックの総数を示す；
（３）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨの数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（５）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（６）バージョン番号Ｒは、基地局が携帯電話に送信したＰＲＡＣＨの構成種類から直接取得することができる。
【０１１４】
実施例１５
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１１５】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１１６】
周波数ドメインのマッピング
Ｐｒｅａｍｂｌｅ ｆｏｒｍａｔ ４の場合、
番号（ＮＲＡｉｎｄ）の小さい順に、順次、利用可能な周波数資源において低周波から高周波にマッピングし、一つのＰＲＡＣＨは６個のＲＢを占め、且つ、周波数ドメインにおいて隣り合う二つのＰＲＡＣＨが占める周波数帯域は重ならない。
【０１１７】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【０１１８】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１１９】
実施例１６
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１２０】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１２１】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１２２】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記の物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１２３】
上述したマッピングの原理は以下の式で表すことができる：
【数２１】
2011515972.tif 000069
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜４の周波数ドメインのマッピングのインデックス（周波数ドメインにおけるＰＲＡＣＨの番号）であるが、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２２】
2011515972.tif 000070
であることが可能であり、ｋ´ＲＡは、ＰＲＡＣＨに利用可能な１個目の低周波のＲＢの位置を示し、ＮＵＬＲＢは、上り資源ブロックの総数を示す；
（２）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（４）Ｐｒｅａｍｂｌｅ ｆｏｒｍａｔ ０〜４の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは、現システムの帯域幅において、周波数ドメインに収容可能なＰＲＡＣＨの数を示す；
（５）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲである。
【０１２４】
実施例１７
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１２５】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１２６】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１２７】
該Ｌ個のサブフレームにマッピングされたバージョン番号がＲである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１２８】
上述したマッピングの原理は以下の式で表すことができる：
【数２３】
2011515972.tif 000071
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２４】
2011515972.tif 000072
であることが可能であり、ｋ´ＲＡは、ＰＲＡＣＨに利用可能な１個目の低周波のＲＢの位置であり、ＮＵＬＲＢは上り資源ブロックの総数を示す；
（２）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（４）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（５）ｒは、基地局が携帯電話に送信したＰＲＡＣＨの構成種類から直接取得することができる。
【０１２９】
実施例１８
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１３０】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１３１】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１３２】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１３３】
上述したマッピングの原理は以下の式で表すことができる：
【数２５】
2011515972.tif 000073
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号はｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２６】
2011515972.tif 000074
であることが可能であり、ｋ´ＲＡは、ＰＲＡＣＨに利用可能な１個目の低周波のＲＢの位置であり、ＮＵＬＲＢは上り資源ブロックの総数を示す；
（２）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（４）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは、現システムの帯域幅において、周波数ドメインに収容可能なＰＲＡＣＨの数を示す；
（５）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲである。
【０１３４】
実施例１９
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されたあるフォーマットのＰＲＡＣＨの数をＮＨＦＲＡ（ｉ）とする。
【０１３５】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１３６】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１３７】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１３８】
上述したマッピングの原理は以下の式で表すことができる：
【数２７】
2011515972.tif 000075
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号がｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数２８】
2011515972.tif 000076
であることが可能であり、ｋ´ＲＡは、ＰＲＡＣＨに利用可能な１個目の低周波のＲＢの位置であり、ＮＵＬＲＢは上り資源ブロックの総数を示す；
（２）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の、ｉ=１であると２個目の半フレームを示す；
（４）Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる； 
（５）バージョン番号Ｒは、基地局が携帯電話に送信したＰＲＡＣＨの構成種類から直接取得することができる。
【０１３９】
実施例２０
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１４０】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１４１】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１４２】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１４３】
実施例２１
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１４４】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１４５】
周波数ドメインのマッピング
Ｐｒｅａｍｂｌｅ ｆｏｒｍａｔ ０〜４の場合、
ＮＲＡｉｎｄが小さい順に、順次、バージョン番号ｒが同一である上記物理ランダムアクセスチャネルを利用可能な周波数資源において両側から中間にマッピングする。
【０１４６】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１４７】
上述したマッピングの原理は以下の式で表すことができる：
【数２９】
2011515972.tif 000077
ここで、
（１）ｆｒＲＡ（ｔ０ＲＡ，ｔ１ＲＡ，ｔ２ＲＡ）は、Ｐｒｅａｍｂｌｅ ｆｏｒｍａｔ ０〜４の周波数ドメインのマッピングのインデックス（周波数ドメインにおけるＰＲＡＣＨの番号）であるが、バージョン番号がｒであり、且つ、タイムドメインの位置が（ｔ０ＲＡ，ｔ１ＲＡ，ｔ２ＲＡ）により確定される全てのＰＲＡＣＨの周波数ドメインチャネルの番号を意味する。番号と周波数ドメインにおける具体的なＰＲＡＣＨの開始ＲＢとのマッピング関係は
【数３０】
2011515972.tif 000078
であることが可能であり，ｋ´ＲＡは、ＰＲＡＣＨに利用可能な１個目の低周波のＲＢの位置であり、ＮＵＬＲＢは上り資源ブロックの総数を示す；
（２）ＮｒＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨの数を示す；
（３）Ｐｒｅａｍｂｌｅ ｆｏｒｍａｔ ０〜４の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の半フレーム、ｉ=１であると２個目の半フレームを示す；
（４）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒは３に固定され、ＮＢＷＳＲＡは、現システムの帯域幅において、周波数ドメインに収容可能なＰＲＡＣＨの数を示す；
（５）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲにより、又は、基地局が携帯電話に送信したＰＲＡＣＨの構成種類から直接取得することができる。
【０１４８】
実施例２２
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１４９】
ＰＲＡＣＨの番号付け：番号付けを行う場合、先ず密度インデックスを逓増させ、次に、バージョン番号を逓増させる。即ち、ＮＲＡｉｎｄ＝ｒ《Ｄ》＋ｄとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕
である。
【０１５０】
周波数ドメインのマッピング
Ｐｒｅａｍｂｌｅ ｆｏｒｍａｔ ４の場合、
あるＵｐＰＴＳにマッピングされた物理ランダムアクセスチャネルがＷ個あって、ＮＲＡｉｎｄの小さい順に、ｗ＝０、１、２、・・・、Ｗ−１と改めて番号付けを行うと、そのマッピング方法は、
ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。
【０１５１】
Ｐｒｅａｍｂｌｅ ｆｏｒｍａｔ ０〜３場合、
ＮＲＡｉｎｄが小さい順に、順次、バージョン番号ｒが同一である上記物理ランダムアクセスチャネルを利用可能な周波数資源において両側から中間にマッピングする。
【０１５２】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記の物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１５３】
上述したマッピングの原理は以下の式で表すことができる：
【数３１】
2011515972.tif 000079
ここで、
（１）ｆＳＲＡは、Ｐｒｅａｍｂｌｅ ｆｏｒｍａｔ ４の周波数ドメインのインデックス（周波数ドメインにおけるＰＲＡＣＨの番号）であり、ｆＳＲＡ（ｔ０ＲＡ，ｔ１ＲＡ，ｔ２ＲＡ）＝０，１，．．．，ＮＳＲＡ（ｔ０ＲＡ，ｔ１ＲＡ，ｔ２ＲＡ）−１となり、即ち、タイムドメインの位置が（ｔ０ＲＡ，ｔ１ＲＡ，ｔ２ＲＡ）により確定される全てのＰＲＡＣＨを、ＮＲＡｉｎｄの小さい順に、改めて番号付けを行った結果である。番号と周波数ドメインにおける具体的なＰＲＡＣＨの開始ＲＢとのマッピング関係は
【数３２】
2011515972.tif 000080
であることが可能であり、ｋ´ＲＡは、ＰＲＡＣＨに利用可能な１個目の低周波のＲＢの位置であり、ＮＵＬＲＢは上り資源ブロックの総数を示す；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのインデックス（周波数ドメインにおけるＰＲＡＣＨの番号）であるが、バージョン番号がｒであり、且つ、タイムドメインの位置が（ｔ０ＲＡ，ｔ１ＲＡ，ｔ２ＲＡ）により確定される全てのＰＲＡＣＨを、ＮＲＡｉｎｄの小さい順に、改めて番号付けを行った結果である。番号と周波数ドメインにおける具体的なＰＲＡＣＨの開始ＲＢとのマッピング関係は
【数３３】
2011515972.tif 000081
であることが可能であり、ｋ´ＲＡは、ＰＲＡＣＨに利用可能な１個目の低周波のＲＢの位置であり、ＮＵＬＲＢは上り資源ブロックの総数を示す；
（３）ＮｒＬＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定されるすべてのＰＲＡＣＨ（Ｐｒｅａｍｂｌｅ ｆｏｒｍａｔ ０〜３）の数を示す。ＮＳＲＡ（ｔ０ＲＡ，ｔ１ＲＡ，ｔ２ＲＡ）は、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ４）の数である；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の、ｉ=１であると２個目の半フレームを示す；
（５）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは、現システムの帯域幅において、周波数ドメインに収容可能なＰＲＡＣＨの数を示す。又は、Ｒ＝ｍｉｎ（〈ＮＢＷＲＡ・ＮＳＰ／Ｄ〉，３）であり；又は、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる；
（６）Ｐｒｅａｍｂｌｅ ｆｏｒｍａｔ ０〜３の場合、ｒは基地局が携帯電話に送信したＰＲＡＣＨの構成種類から直接取得することができる。Ｐｒｅａｍｂｌｅ ｆｏｒｍａｔ ４の場合、ｒ＝ＮｃｅｌｌＩＤｍｏｄＲにより、又は、基地局が携帯電話に送信したＰＲＡＣＨの構成種類から直接取得することができる。
【０１５４】
実施例２３
ＰＲＡＣＨの密度をＤ（Ｄ=０．５、１、２、３、５、６又は１０ＰＲＡＣＨ/１０ｍｓであることが可能）とし、バージョン数をＲとし、番号をＮＲＡｉｎｄ＝０、１、・・・、Ｒ《Ｄ》−１とし、あるセルが一つのランダムアクセスの周期内で利用可能なＰＲＡＣＨのインデックスをｄ（セル内のＰＲＡＣＨインデックス又は密度インデックスと称することができる。ｄ＝０、１、・・・、《Ｄ》−１）とし、バージョン番号をｒ（ｒ∈〔０、Ｒ−１〕）とし、１０ｍｓの無線フレーム内の下りから上りへの切替えポイントの数をＮＳＰとし、半フレーム内のタイムドメインに収容されるあるフォーマットのＰＲＡＣＨの数をＮＨＦＲＡ（ｉ）とする。
【０１５５】
ＰＲＡＣＨの番号付け：番号付けを行う場合、先ずバージョン番号を逓増させ、次に、密度インデックスを逓増させる。即ち、ＮＲＡｉｎｄ＝ｄＲ＋ｒとなる。ここで、ＮＲＡｉｎｄ＝０、１、・・・、Ｒ《Ｄ》−１であり、ｄ＝０、１、・・・、《Ｄ》−１であり、ｒ∈〔０、Ｒ−１〕である。
【０１５６】
周波数ドメインのマッピング
Ｐｒｅａｍｂｌｅ ｆｏｒｍａｔ ４の場合、
あるＵｐＰＴＳにマッピングされた物理ランダムアクセスチャネルがＷ個あって、ＮＲＡｉｎｄの小さい順に、ｗ＝０、１、２、・・・、Ｗ−１と改めて番号付けを行うと、そのマッピング方法は、
ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。
【０１５７】
Ｐｒｅａｍｂｌｅ ｆｏｒｍａｔ ０〜３の場合、
ＮＲＡｉｎｄが小さい順に、順次、バージョン番号ｒが同一である上記物理ランダムアクセスチャネルを利用可能な周波数資源において両側から中間にマッピングする。
【０１５８】
該Ｌ個のサブフレームにマッピングされたバージョン番号がｒである物理ランダムアクセスチャネルがＷ個あって、ＮＲＡｉｎｄの小さい順に、ｗ＝０、１、２、・・・、Ｗ−１と改めて番号を付けると、そのマッピング方法は、ｗが偶数である場合、利用可能な周波数帯域において低周波から高周波にマッピングし、奇数である場合、利用可能な周波数帯域において高周波から低周波にマッピングし、且つ、一つの上記物理ランダムアクセスチャネルは６個の資源ブロックを占め、周波数ドメインにおいて隣り合う二つの物理ランダムアクセスチャネルが占める周波数帯域は重ならない。各バージョン番号Ｒに対し、すべて同様なマッピングプロセスを行う。
【０１５９】
上述したマッピングの原理は以下の式で表すことができる：
【数３４】
2011515972.tif 000082
ここで、
（１）ｆＳＲＡは、Ｐｒｅａｍｂｌｅ ｆｏｒｍａｔ ４の周波数マッピングのインデックス（周波数ドメインにおけるＰＲＡＣＨの番号）であり、ｆＳＲＡ（ｔ０ＲＡ，ｔ１ＲＡ，ｔ２ＲＡ）＝０，１，．．．，ＮＳＲＡ（ｔ０ＲＡ，ｔ１ＲＡ，ｔ２ＲＡ）−１となり、即ち、タイムドメインの位置が（ｔ０ＲＡ，ｔ１ＲＡ，ｔ２ＲＡ）により確定される全てのＰＲＡＣＨを、ＮＲＡｉｎｄの小さい順に、再び番号付けを行った結果である。番号と周波数ドメインにおける具体的なＰＲＡＣＨの開始ＲＢとのマッピング関係は
【数３５】
2011515972.tif 000083
であることが可能であり、ｋ´ＲＡは、ＰＲＡＣＨに利用可能な１個目の低周波のＲＢの位置であり、ＮＵＬＲＢは上り資源ブロックの総数を示す；
（２）ｆｒＬＲＡ（ｔ０ＲＡ，ｔ１ＲＡ，ｔ２ＲＡ）は、Ｐｒｅａｍｂｌｅ ｆｏｒｍａｔ ０〜３の周波数ドメインのマッピングのインデックス（周波数ドメインにおけるＰＲＡＣＨの番号）であるが、バージョン番号がｒであり、且つ、タイムドメインの位置が（ｔ０ＲＡ，ｔ１ＲＡ，ｔ２ＲＡ）により確定される全てのＰＲＡＣＨを、ＮＲＡｉｎｄの小さい順に、改めて番号付けを行った結果である。番号と周波数ドメインにおける具体的なＰＲＡＣＨの開始ＲＢとのマッピング関係は
【数３６】
2011515972.tif 000084
であることが可能であり、ｋ´ＲＡは、ＰＲＡＣＨに利用可能な１個目の低周波のＲＢの位置であり、ＮＵＬＲＢは上り資源ブロックの総数を示す；
（３）ＮｒＬＲＡ（ｔ０ＲＡ，ｔ１ＲＡ，ｔ２ＲＡ）は、バージョン番号がｒであり、且つ、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ０〜３）の数を示し、ＮＳＲＡ（ｔ０ＲＡ，ｔ１ＲＡ，ｔ２ＲＡ）は、タイムドメインの位置が（ｔ０ＲＡ，ｔ１ＲＡ，ｔ２ＲＡ）により確定される全てのＰＲＡＣＨ（Ｐｒｅａｍｂｌｅ ｆｏｒｍａｔ ４）の数を示す；
（４）Ｐｒｅａｍｂｌｅ ｆｏｒｍａｔ ０〜３の場合、ＬはこのようなフォーマットのＰＲＡＣＨが占める上りサブフレームの数を示し、ＮＵＬ，ＨＦｓｕｂ−ｆｒａｍｅ（ｉ）は半フレーム内の上りサブフレームの数を示す。Ｐｒｅａｍｂｌｅ ｆｏｒｍａｔ ４の場合、Ｌ = １であり、ＮＵＬ，ＨＦｓｕｂ−ｆｒａｍｅ（ｉ）は、半フレーム内のＵｐＰＴＳの数を示し、ｉ=０であると１個目の、ｉ=１であると２個目の半フレームを示す；
（５）Ｐｒｅａｍｂｌｅ ｆｏｒｍａｔ ０〜３の場合、Ｒは、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定することができる。Ｐｒｅａｍｂｌｅ ｆｏｒｍａｔ ４の場合、Ｒ＝〈ＮＢＷＳＲＡ・ＮＳＰ／Ｄ〉であり、ＮＢＷＳＲＡは、現システムの帯域幅において、周波数ドメインに収容可能なＰＲＡＣＨの数を示す。又は、Ｒ＝ｍｉｎ（〈ＮＢＷＲＡ・ＮＳＰ／Ｄ〉，３）であり、又は、基地局が携帯電話に送信したＰＲＡＣＨの構成種類に基づき、ＰＲＡＣＨの構成集合におけるＰｒｅａｍｂｌｅ ｆｏｒｍａｔと密度の組合せのバージョン数から確定する；
（６）Ｐｒｅａｍｂｌｅ ｆｏｒｍａｔ ０〜３の場合、ｒは基地局が携帯電話に送信したＰＲＡＣＨの構成種類から直接取得することができる。ＲeambＬe ｆｏｒｍａｔ ４の場合、ｒ＝ＮｃｅｌｌＩＤｍｏｄＲにより、又は、基地局が携帯電話に送信したＰＲＡＣＨの構成種類から直接取得することができる。
【０１６０】
利用可能な周波数資源において、バージョン番号ｒが同一であるＰＲＡＣＨを、ＮＲＡｉｎｄの小さい順に、順次、低周波から高周波にマッピングし、一つの物理ランダムアクセスチャネルは６個の資源ブロックを占め、且つ、周波数ドメインにおいて隣り合う二つの物理ランダムアクセスチャネルが占める周波数帯域は重ならない。各バージョン番号ｒに対し、すべて同様なマッピングプロセスを行う。
【０１６１】
上述した内容から分かるように、本発明の上記実施例による物理ランダムアクセスチャネルのマッピング方法によると、マッピングする際のバージョン番号の要素を考慮したため、同一の基地局のＰＲＡＣＨを処理する時間を均一に分布することができない問題を解決し、同一の基地局がＰＲＡＣＨを処理する時間を均一に分布することができると共に、第２種のＰＲＡＣＨのセル間の干渉を最大限低減させることができる。
【０１６２】
明らかに、当業者なら、上述した本発明の各ブロック又は各ステップをゼネラルコンピューターにより実現でき、これらを個別のコンピューター上に集中する、又は、複数台のコンピューターからなるネットワーク上に分散してもよく、或いは、これらをコンピューターが運行可能なプログラムコードにより実現してもよいことが自明であろう。よって、これらをメモリーに保存し、コンピューターを用いて運行し、或いはこれらをそれぞれ各集積回路のモジュールとして製作し、或いはこれらの中の複数のブロック又はステップから個別の集積回路のモジュールを製作することでも実現できる。よって、本発明は特定のハードウエアとソフトウエアの結合に限定されるものではない。
【０１６３】
以上は、本発明の好適な実施例であり、本発明を限定するものではない。本発明は、様々な変更や変形が可能であることは当業者には容易に理解できるであろう。本発明の精神や原則を逸脱しないあらゆる修正、同等置換、改良などはすべて本発明の保護範囲内に含まれるものとする。
【符号の説明】
【０１６４】
ＮＲＡｉｎｄ  ＰＲＡＣＨの番号
【国際調査報告】
2011515972.tif 000085
2011515972.tif 000086
2011515972.tif 000087
2011515972.tif 000088